(57)【要約】  乾燥状態でも退光しにくい蛍光シリカ粒子の製造に用いることのできるアルコキシシリル基含有有機ＥＬ色素を提供する。本発明のアルコキシシリル基含有有機ＥＬ色素は、一般式Ｘ―Ｙ−Ｑ−Ｚ−Ｓｉ（Ｒ１）ｎ（ＯＲ２）３−ｎで表され、一般式Ｘ―Ｙ−Ｑ−Ｚ−Ｓｉ（Ｒ１）ｎ（ＯＲ２）３−ｎで表され、Ｘが有機ＥＬ色素、Ｙが直接結合あるいは−（ＣＨ２）ｐ−（ｐは１から１０の整数）または−（Ｏ−ＣＨ２ＣＨ２）ｑ−（ｑは１から１０の整数）であり、Ｑはアミド結合、エーテル結合、チオエーテル結合、チオエステル結合、チオウレア結合、ジスルフィド結合およびポリオキシエチレン結合から選択される１種の結合であり、Ｚは−（ＣＨ２）３−または−（ＣＨ２）２ＮＨ（ＣＨ２）３−であり、Ｚは−（ＣＨ２）３−または−（ＣＨ２）２ＮＨ（ＣＨ２）３−であり、Ｒ１とＲ２は炭素数１から４のアルキル基であり、ｎは０または１である。
2016068324.tif 000002
【特許請求の範囲】
【請求項１】
一般式Ｘ―Ｙ−Ｑ−Ｚ−Ｓｉ（Ｒ１）ｎ（ＯＲ２）３−ｎで表され、一般式Ｘ―Ｙ−Ｑ−Ｚ−Ｓｉ（Ｒ１）ｎ（ＯＲ２）３−ｎで表され、Ｘが有機ＥＬ色素、Ｙが直接結合あるいは−（ＣＨ２）ｐ−（ｐは１から１０の整数）または−（Ｏ−ＣＨ２ＣＨ２）ｑ−（ｑは１から１０の整数）であり、Ｑはアミド結合、エーテル結合、チオエーテル結合、チオエステル結合、チオウレア結合、ジスルフィド結合およびポリオキシエチレン結合から選択される１種の結合であり、Ｚは−（ＣＨ２）３−または−（ＣＨ２）２ＮＨ（ＣＨ２）３−であり、Ｚは−（ＣＨ２）３−または−（ＣＨ２）２ＮＨ（ＣＨ２）３−であり、Ｒ１とＲ２は炭素数１から４のアルキル基であり、ｎは０または１である、アルコキシシリル基含有有機ＥＬ色素。
【請求項２】
前記有機ＥＬ色素が、ジアゾロピリジン誘導体である請求項１記載のアルコキシシリル基含有有機ＥＬ色素。
【請求項３】
前記ジアゾロピリジン誘導体が、以下の一般式（１）、（２）又は（３）で表され、Ｍ１が前記の結合基と直接結合あるいは−（ＣＨ２）ｐ−（ｐは１から１０の整数）または−（Ｏ−ＣＨ２ＣＨ２）ｑ−（ｑは１から１０の整数）を介して結合している、請求項２記載のアルコキシシリル基含有有機ＥＬ色素。
【化１】
2016068324.tif 000028
（式（１）および式（３）ではＲ１は、そして式（２）ではＲ１とＲ４の一方は、一般式Ｌ１−Ｍ１で示され、
Ｍ１は、置換基を有してもよいピリジニウム基、２級アミニウム基、３級アミニウム基、４級アンモニウム基、ピペリジニウム基、ピペラジニウム基、イミダゾリウム基、チアゾリウム基、オキサゾリウム基、キノリウム基、ベンゾイミダゾリウム基、ベンゾチアゾリウム基又はベンゾオキサゾリウム基である窒素カチオン含有基、あるいは置換基を有してもよいピリジル基、２級アミノ基、３級アミノ基、ピペリジル基、ピペラジル基、イミダゾリル基、チアゾリル基、オキサゾリル基、キノリル基、ベンゾイミダゾリル基、ベンゾチアゾリル基又はベンゾオキサゾリル基である窒素含有基を示し、
Ｌ１は、−（ＣＨ＝ＣＲ６）ｒ−で表され、Ｍ１と中心ピリジン環または中心ベンゼン環とを連結するリンカーであり、ｒは１から５の整数からなり、Ｒ６は、水素原子；置換基を有してもよい炭素数１から６の直鎖状または分岐状のアルキル基；置換基を有してもよいスルホ基；置換基を有してもよいイミダゾリウム基、ピリジニウム基およびフラン基からなる群から選択された複素環基；置換基を有してもよい２級アミノ基、３級アミノ基および４級アミノ基からなる群から選択されたアミノ基；置換基を有してもよいヒドロキシ基；置換基を有してもよいアルコキシ基；置換基を有してもよいアルデヒド基；置換基を有してもよいカルボキシル基；置換基を有してもよい芳香族基のいずれか１種を示し、
式（２）のＲ１とＲ４の残部、式（１）から式（３）のＲ２およびＲ３は、それぞれ独立に、水素原子、ハロゲン原子、置換基を有してもよい芳香族炭化水素基又は脂肪族炭化水素基又は複素環基を示し、
Ｘは置換基を有していてもよい窒素原子、硫黄原子、酸素原子、セレン原子又はボロン原子を示し、
Ｒ’は芳香環を含んでもよいアルキル基からなる脂肪族炭化水素基あるいは芳香族炭化水素基、
Ａｎ−は、ハロゲン化物イオン、ＣＦ３ＳＯ３−、ＢＦ４−又はＰＦ６−を示す。）
【請求項４】
前記のＲ２およびＲ３が、それぞれ独立に、置換基を有してもよいチエニル基、フラニル基、ピロリル基、イミダゾリル基、オキサゾリル基、チアジアゾリル基、ピラゾリル基、ピリジル基またはキノリル基を示す請求項３記載のアルコキシシリル基含有有機ＥＬ色素。
【請求項５】
前記のＲ２およびＲ３が、置換基を有してもよいチエニル基を示し、該置換基が、置換基を有してもよい芳香族炭化水素基、脂肪族炭化水素基または複素環基である請求項４記載のアルコキシシリル基含有有機ＥＬ色素。
【請求項６】
前記ジアゾロピリジン誘導体が、以下の一般式（４）、（５）又は（６）で表され、Ｍ２が前記の結合基と直接結合あるいは−（ＣＨ２）ｐ−（ｐは１から１０の整数）または−（Ｏ−ＣＨ２ＣＨ２）ｑ−（ｑは１から１０の整数）を介して結合している、請求項２記載のアルコキシシリル基含有有機ＥＬ色素。
【化２】
2016068324.tif 000029
（式（４）および式（６）ではＲ１は、そして式（５）ではＲ１とＲ４の一方は、一般式Ｌ２−Ｍ２で示され、
Ｍ２は、置換基を有してもよいピリジニウム基、２級アミニウム基、３級アミニウム基、４級アンモニウム基、ピペリジニウム基、ピペラジニウム基、イミダゾリウム基、チアゾリウム基、オキサゾリウム基、キノリウム基、ベンゾイミダゾリウム基、ベンゾチアゾリウム基又はベンゾオキサゾリウム基である窒素カチオン含有基、あるいは置換基を有してもよいピリジル基、２級アミノ基、３級アミノ基、ピペリジル基、ピペラジル基、イミダゾリル基、チアゾリル基、オキサゾリル基、キノリル基、ベンゾイミダゾリル基、ベンゾチアゾリル基又はベンゾオキサゾリル基である窒素含有基を示し、
Ｌ２は、Ｍ２と中心ピリジン環または中心ベンゼン環とを連結するリンカーであり、
直接結合、あるいは−（ＣＨ２）ｓ−（ｓは１〜４の整数）、−ＮＨＣＯＯ−、−ＣＯＮＨ−、−ＣＯＯ−、−ＳＯ２ＮＨ−、−ＨＮ−Ｃ（＝ＮＨ）−ＮＨ−、−Ｏ−、−Ｓ−、−ＮＲ（Ｒはアルキル基）、−Ａｒ−（Ａｒは芳香族炭化水素基）、−ＣＯ−Ａｒ−ＮＲ−、からなる群から選択された１種以上の官能基を示し、
式（５）のＲ１とＲ４の残部、式（４）から式（６）のＲ２およびＲ３は、それぞれ独立に、置換基を有してもよいチエニル基、フラニル基、ピロリル基、イミダゾリル基、オキサゾリル基、チアジアゾリル基、ピラゾリル基、ピリジル基またはキノリル基を示し、
Ｘは置換基を有していてもよい窒素原子、硫黄原子、酸素原子、セレン原子又はボロン原子を示し、
Ｒ’は芳香環を含んでもよいアルキル基からなる脂肪族炭化水素基あるいは芳香族炭化水素基、
Ａｎ−は、ハロゲン化物イオン、ＣＦ３ＳＯ３−、ＢＦ４−又はＰＦ６−を示す。）
【請求項７】
前記のＲ２およびＲ３が、それぞれ独立に、置換基を有してもよいチエニル基、フラニル基、ピロリル基、イミダゾリル基、オキサゾリル基、チアジアゾリル基、ピラゾリル基、ピリジル基またはキノリル基を示す請求項６記載のアルコキシシリル基含有有機ＥＬ色素。
【請求項８】
前記のＲ２およびＲ３が、置換基を有してもよいチエニル基を示し、該置換基が、置換基を有してもよい芳香族炭化水素基、脂肪族炭化水素基または複素環基である請求項７記載のアルコキシシリル基含有有機ＥＬ色素。
【請求項９】
前記ジアゾロピリジン誘導体が、以下の一般式（７）、（８）又は（９）で表され、Ｒ１またはＲ４が前記の結合基と直接結合している、請求項２記載のアルコキシシリル基含有有機ＥＬ色素。
【化３】
2016068324.tif 000030
（式（７）、（８）、（９）のＲ１、Ｒ２、Ｒ３、Ｒ４は、それぞれ独立に、水素原子、ハロゲン原子、置換基としてアルキル基、アルケニル基、アルキニル基、アルコキシ基、アルキルエステル基、リン酸エステル基、硫酸エステル基、ニトリル基、ヒドロキシル基、シアノ基、スルホニル基、芳香族炭化水素基又は複素環基を有してもよい芳香族炭化水素基又は炭化水素基又は複素環基を示し、
Ｘは置換基を有していてもよい窒素原子、硫黄原子、酸素原子、セレン原子またはボロン原子を示し、
Ｒ‘は芳香環を含んでも良いアルキル基からなる脂肪族炭化水素基あるいは芳香族炭化水素基、
Ａｎ−は、ハロゲン化物イオン、ＣＦ３ＳＯ３−、ＢＦ４−又はＰＦ６−を示す。）
【請求項１０】
前記のＲ２およびＲ３が、それぞれ独立に、置換基を有してもよいチエニル基、フラニル基、ピロリル基、イミダゾリル基、オキサゾリル基、チアジアゾリル基、ピラゾリル基、ピリジル基またはキノリル基を示す請求項９記載のアルコキシシリル基含有有機ＥＬ色素。
【請求項１１】
上記のＲ２およびＲ３が、置換基を有してもよいチエニル基を示し、該置換基が、置換基を有してもよい芳香族炭化水素基、脂肪族炭化水素基または複素環基である請求項１０記載のアルコキシシリル基含有有機ＥＬ色素。
【請求項１２】
請求項１記載のアルコキシシリル基含有有機ＥＬ色素の製造方法であって、
前記有機ＥＬ色素が、スクシンイミジルエステル基、アルコラート基、アミノ基、メルカプト基、および末端ヒドロキシ基含有ポリオキシエチレン基からなる群から選択される１種の反応性基を有し、前記有機ＥＬ色素とシランカップリング剤を混合する工程を含む、該製造方法。
【請求項１３】
請求項１記載のアルコキシシリル基含有有機ＥＬ色素の縮合体を含む蛍光シリカ粒子。
【発明の詳細な説明】
【技術分野】
【０００１】
本発明は、アルコキシシリル基含有有機ＥＬ色素およびその製造方法に関し、さらに詳しくは核酸、タンパク質、ペプチド類、そして糖類等の生体分子の検出に用いる蛍光色素含有シリカ粒子の製造に用いるアルコキシシリル基含有有機ＥＬ色素およびその製造方法に関する。
【背景技術】
【０００２】
近年、ヒトゲノムの全容が明らかにされ、遺伝子治療、遺伝子診断などを目的としたポストゲノム研究が盛んに行われている。例えば、ＤＮＡ解析は、ＤＮＡマイクロアレイ基盤上に固定されたプローブＤＮＡと、蛍光色素等で標識されたサンプルＤＮＡとをハイブリダイズさせて二本鎖を形成させ、サンプルＤＮＡの検出を行っている。これは蛍光色素で標識した核酸をＰＣＲ伸長し、基盤上でハイブリダイゼーションを行った後に測定する手法である。最近では、より多くのアミノ基を有するプライマーを用いた手法、ＤＮＡにアミノ基を導入する手法がとられている。【０００３】
標識には蛍光色素が広く使用されているが、水溶液中では消光を起こしやすいという問題がある。これに対し、シリカナノ粒子の中に蛍光色素を導入した蛍光色素含有シリカ粒子（以下、蛍光シリカ粒子という）を用いることで、蛍光色素の消光を抑制し、蛍光強度を増加させる方法が提案されている（例えば、特許文献１）。特許文献１は、有機色素分子としてテトラメチルローダミン・イソチオシアネート（ＴＲＩＴＣ）を用い、ＴＲＩＴＣとオルガノシラン化合物を混合して色素前駆体を形成し、その色素前駆体を水溶液と混合して密集蛍光コアを形成し、その密集蛍光コアとシリカ前駆体を混合して密集コア上にシリカ殻を形成することで蛍光単分散ナノ粒子を製造する方法を開示している。
【先行技術文献】
【特許文献】
【０００４】
【特許文献１】特開２００６−５１４７０８号公報
【発明の概要】
【発明が解決しようとする課題】
【０００５】
しかしながら、従来の蛍光シリカ粒子は、乾燥状態では退光し易く、蛍光強度が十分ではないという問題がある。【０００６】
そこで、本発明は、乾燥状態でも退光しにくい蛍光シリカ粒子の製造に用いることのできるアルコキシシリル基含有有機ＥＬ色素およびその製造方法を提供することを目的とした。
【課題を解決するための手段】
【０００７】
上記課題を解決するため、本発明のアルコキシシリル基含有有機ＥＬ色素は、一般式Ｘ―Ｙ−Ｑ−Ｚ−Ｓｉ（Ｒ１）ｎ（ＯＲ２）３−ｎで表され、Ｘが有機ＥＬ色素、Ｙが直接結合あるいは−（ＣＨ２）ｐ−（ｐは１から１０の整数）または−（Ｏ−ＣＨ２ＣＨ２）ｑ−（ｑは１から１０の整数）であり、Ｑはアミド結合、エーテル結合、チオエーテル結合、チオエステル結合、チオウレア結合、ジスルフィド結合およびポリオキシエチレン結合から選択される１種の結合であり、Ｚは−（ＣＨ２）３−または−（ＣＨ２）２ＮＨ（ＣＨ２）３−であり、Ｒ１とＲ２は炭素数１から４のアルキル基であり、ｎは０または１であることを特徴とする。【０００８】
また、本発明の製造方法は、上記のアルコキシシリル基含有有機ＥＬ色素の製造方法であって、前記有機ＥＬ色素が、スクシンイミジルエステル基、アルコラート基、アミノ基、メルカプト基、および末端ヒドロキシ基含有ポリオキシエチレン基からなる群から選択される１種の反応性基を有し、前記有機ＥＬ色素とシランカップリング剤を混合する工程を含むことを特徴とする。【０００９】
また、本発明の蛍光シリカ粒子は、上記のアルコキシシリル基含有有機ＥＬ色素の縮合体を含むことを特徴とする。
【発明の効果】
【００１０】
本発明のアルコキシシリル基含有有機ＥＬ色素を用いることで、乾燥状態でも高い蛍光強度を有する蛍光シリカ粒子を製造することが可能となる。また、有機ＥＬ色素の置換基を変えることにより励起波長及び発光波長を変化させることができるので、蛍光波長の選択の自由度が増加し、レッド、オレンジ、イエロー、グリーン、ブルーなど多くの蛍光波長を用いることができる。これにより、ストークスシフトの大きい（励起波長と蛍光波長の差が大きい）２種以上の蛍光色素を用いることが可能となり、一つの試料中に含まれる複数の標的核酸を同時に検出することも可能となる。
【図面の簡単な説明】
【００１１】
【図１】本発明のアルコキシシリル基含有有機ＥＬ色素の退光性試験の結果を示す蛍光顕微鏡写真である。
【発明を実施するための形態】
【００１２】
以下、本発明の実施の形態について詳細に説明する。
本発明のアルコキシシリル基含有有機ＥＬ色素は、一般式Ｘ―Ｙ−Ｑ−Ｚ−Ｓｉ（Ｒ１）ｎ（ＯＲ２）３−ｎで表され、Ｘが有機ＥＬ色素、Ｙが直接結合あるいは−（ＣＨ２）ｐ−（ｐは１から１０の整数）または−（Ｏ−ＣＨ２ＣＨ２）ｑ−（ｑは１から１０の整数）であり、Ｑはアミド結合、エーテル結合、チオエーテル結合、チオエステル結合、チオウレア結合、ジスルフィド結合およびポリオキシエチレン結合から選択される１種の結合であり、Ｚは−（ＣＨ２）３−または−（ＣＨ２）２ＮＨ（ＣＨ２）３−であり、Ｒ１とＲ２は炭素数１から４のアルキル基であり、ｎは０または１であることを特徴とするものである。
【００１３】
本発明に用いる有機ＥＬ色素は、一対の陽極と陰極との間に固体状態で挟持され、陽極から注入された正孔と陰極から注入された電子とが再結合する際のエネルギーにより発光可能な色素であれば特に限定されない。例えば、テトラフェニルブタジエンやペリレン等の多環芳香族化合物、シクロペンタジエン誘導体、ジスチリルピラジン誘導体、アクリドン誘導体、キナクドリン誘導体、スチルベン誘導体、フェノチアジン誘導体、ピラジノピリジン誘導体、ジアゾロピリジン誘導体、イミダゾール誘導体、カルバゾール誘導体そしてテトラフェニルチオフェン誘導体等を用いることができる。好ましくは、ジアゾロピリジン誘導体、イミダゾール誘導体またはカルバゾール誘導体である。
【００１４】
本発明に用いる有機ＥＬ色素は、その置換基を変えることにより、励起波長及び発光波長を変化させて、レッド、ブルー、グリーンの発光色を得ることができる。
【００１５】
前記のＹは、直接結合あるいは−（ＣＨ２）ｐ−（ｐは１から１０の整数）または−（Ｏ−ＣＨ２ＣＨ２）ｑ−（ｑは１から１０の整数）を示す。ｐは好ましくは１から８、より好ましくは１から４である。また、ｑは好ましくは１から８、より好ましくは１から４である。
【００１６】
また、前記のＱは、アミド結合、エーテル結合、チオエーテル結合、チオエステル結合、チオウレア結合、ジスルフィド結合およびポリオキシエチレン結合から選択される１種の結合である。好ましくは、アミド結合またはポリオキシエチレン結合である。なお、アミド結合は、−ＣＯ（ＮＲ）−で表すことができ、Ｒは水素または炭素数１から４のアルキル基であり、好ましくはＲは水素またはメチル基である。また、ポリオキシエチレン結合は、−（Ｏ−ＣＨ２ＣＨ２）ｒ−で表すことができ、ｒは１から１０の整数、好ましくは１から５の整数である。
【００１７】
また、前記のＺは−（ＣＨ２）３−または−（ＣＨ２）２ＮＨ（ＣＨ２）３−である。好ましくは−（ＣＨ２）３−である。
【００１８】
また、Ｓｉ（Ｒ１）ｎ（ＯＲ２）３−ｎのＲ１とＲ２は炭素数１から４のアルキル基であり、好ましくはメチル基、エチル基、ｎ−プロピル基、より好ましくはメチル基またはエチル基である。また、ｎは０または１である。
【００１９】
また、本発明のアルコキシシリル基含有有機ＥＬ色素は、以下の方法を用いて製造できる。すなわち、前記有機ＥＬ色素が、スクシンイミジルエステル基、アルコラート基、アミノ基、メルカプト基、および末端ヒドロキシ基含有ポリオキシエチレン基からなる群から選択される１種の反応性基を有し、前記有機ＥＬ色素とシランカップリング剤を混合する工程を含むことを特徴とするものである。
【００２０】
本発明に用いる有機ＥＬ色素は、上記の反応性基を有しており、シランカップリング剤と反応することで共有結合を形成してシランカップリング剤と結合する。共有結合として、アミド結合、エーテル結合、チオウレア結合、ジスルフィド結合またはポリオキシエチレン結合である。アミド結合を形成する場合、シランカップリング剤にはアミノアルキルシランを用い、有機ＥＬ色素の反応性基としては、スクシンイミジルエステル基を用いることができる。また、エーテル結合を形成する場合、シランカップリング剤にはハロゲン化アルキルシランを用い、有機ＥＬ色素の反応性基としては、アルコラート基を用いることができる。また、チオウレア結合を形成する場合、シランカップリング剤にはイソチオシアネートシランを用い、有機ＥＬ色素の反応性基としては、アミノ基を用いることができる。また、ジスルフィド結合を形成する場合、シランカップリング剤にはメルカプトシランを用い、有機ＥＬ色素の反応性基としては、メルカプト基を用いることができる。また、ポリオキシエチレン結合を形成する場合、シランカップリング剤にはグリシジルオキシアルキルシランを用い、有機ＥＬ色素の反応性基としては、末端ヒドロキシ基含有ポリオキシエチレン基を用いることができる。
【００２１】
シランカップリング剤には、アミノアルキルシラン、グリシジルオキシアルキルシラン、メルカプトシラン、イソチオシアネート、イソシアネートシラン、ハロゲン化シラン等を用いることができる。好ましくは、アミノアルキルシランである。アミノアルキルシランの具体例としては、３−アミノプロピルトリエトキシシラン、３−（２−アミノエチルアミノ）プロピルトリメトキシシラン、３−（２−アミノエチルアミノ）プロピルジメトキシメチルシラン、３−（２−アミノエチルアミノ）プロピルトリエトキシシラン、３−アミノプロピルジエトキシメチルシラン、３−アミノプロピルトリメトキシシラン等を挙げることができるが、好ましくは３−アミノプロピルトリメトキシシランである。また、グリシジルオキシアルキルシランの具体例としては、ジエトキシ（３−グリシジルオキシプロピル）メチルシラン、３−グリシジルオキシプロピルトリメトキシシラン、３−グリシジルオキシプロピル（ジメトキシ）メチルシラン、トリエトキシ（３−グリシジルオキシプロピル）シラン等を挙げることができる。また、メルカプトシランには、３−メルカプトプロピルメチルメトキシシランや３−メルカプトプロピルトリメトキシシランを挙げることができる。また、イソシアネートシランには、３−イソシアネートプロピルトリエトキシシランや３−イソシアネートプロピルトリメトキシシランを挙げることができる。また、イソチオシアネートには、３−チオシアナトプロピルトリエトキシシランを挙げることができる。また、ハロゲン化シランには、（３−ブロモプロピル）トリメトキシシラン、３−トリメトキシシリルプロピルクロライド、３−クロロプロピルジメトキシメチルシラン、３−ヨードプロピルトリメトキシシラン等を挙げることができる。
【００２２】
有機ＥＬ色素とシランカップリング剤との反応は、溶媒にジクロロメタン、クロロホルム、ＤＭＦ等を用い、室温から６０℃の温度で、混合攪拌することにより行うことができる。必要に応じて溶媒を減圧等により除去して反応物を取り出すことができる。
【００２３】
また、本発明のアルコキシシリル基含有有機ＥＬ色素を用いて蛍光シリカ粒子を製造することができる。蛍光シリカ粒子を製造する方法は、シランカップリング剤を用いてシリカ粒子を製造する方法であれば特に限定されない。例えば特許文献１に記載されているように、アルコキシシリル基含有有機ＥＬ色素を水溶液と混合して密集蛍光コアを形成し、その密集蛍光コアとシリカ前駆体を混合して密集コア上にシリカ殻を形成する方法を用いることができる。
【００２４】
実施の形態１
本実施の形態に係るアルコキシシリル基含有有機ＥＬ色素は、有機ＥＬ色素に以下の一般式（１）、（２）、（３）で表されるジアゾロピリジン誘導体を用いる。
【００２５】
【化１】
2016068324.tif 000003
【００２６】
式（１）および式（３）ではＲ１は、そして式（２）ではＲ１とＲ４の一方は、一般式Ｌ１−Ｍ１で示され、Ｍ１は、置換基を有してもよいピリジニウム基、２級アミニウム基、３級アミニウム基、４級アンモニウム基、ピペリジニウム基、ピペラジニウム基、イミダゾリウム基、チアゾリウム基、オキサゾリウム基、キノリウム基、ベンゾイミダゾリウム基、ベンゾチアゾリウム基又はベンゾオキサゾリウム基である窒素カチオン含有基、あるいは置換基を有してもよいピリジル基、２級アミノ基、３級アミノ基、ピペリジル基、ピペラジル基、イミダゾリル基、チアゾリル基、オキサゾリル基、キノリル基、ベンゾイミダゾリル基、ベンゾチアゾリル基又はベンゾオキサゾリル基である窒素含有基を示し、Ｌ１は、−（ＣＨ＝ＣＲ６）ｓ−で表され、Ｍ１と中心ピリジン環または中心ベンゼン環とを連結するリンカーであり、ｓは１から５の整数からなり、Ｒ６は、水素原子；置換基を有してもよい炭素数１から６の直鎖状または分岐状のアルキル基；置換基を有してもよいスルホ基；置換基を有してもよいイミダゾリウム基、ピリジニウム基およびフラン基からなる群から選択された複素環基；置換基を有してもよい２級アミノ基、３級アミノ基および４級アミノ基からなる群から選択されたアミノ基；置換基を有してもよいヒドロキシ基；置換基を有してもよいアルコキシ基；置換基を有してもよいアルデヒド基；置換基を有してもよいカルボキシル基；置換基を有してもよい芳香族基のいずれか１種を示し、式（２）のＲ１とＲ４の残部、そして式（１）から（３）のＲ２およびＲ３は、それぞれ独立に、水素原子、ハロゲン原子、置換基を有してもよい芳香族炭化水素基または脂肪族炭化水素基または複素環基を示し、Ｘは置換基を有していてもよい窒素原子、硫黄原子、酸素原子、セレン原子又はボロン原子を示し、Ｒ’は芳香環を含んでもよいアルキル基からなる脂肪族炭化水素基あるいは芳香族炭化水素基、Ａｎ−は、ハロゲン化物イオン、ＣＦ３ＳＯ３−、ＢＦ４−又はＰＦ６−を示す。
【００２７】
ここで、Ｍ１は、上記の結合基Ｑと直接結合あるいは−（ＣＨ２）ｐ−（ｐは１から１０の整数）または−（Ｏ−ＣＨ２ＣＨ２）ｑ−（ｑは１から１０の整数）を介して結合する。
【００２８】
Ｒ２およびＲ３は、それぞれ独立に、置換基を有してもよい芳香族炭化水素基または脂肪族炭化水素基または複素環基であることが好ましい。該置換基としては、アルキル基、アルケニル基、アルキニル基、アルコキシ基、アルキルエステル基、リン酸エステル基、硫酸エステル基、ニトリル基、ヒドロキシル基、シアノ基、スルホニル基、芳香族炭化水素基または複素環基を挙げることができる。該置換基としてのアルキル基は、置換または無置換の炭素数１〜２０の直鎖状もしくは分岐状のアルキル基である。また、該置換基としてのアルケニル基は、無置換の炭素数２〜２０の直鎖状もしくは分岐状のアルケニル基である。また、該置換基としてのアルキニル基は、無置換の炭素数２〜２０の直鎖状もしくは分岐状のアルキニル基である。また、該置換基としてのアルコキシ基は、例えばメトキシ基、エトキシ基、プロポキシ基、イソプロポキシ基、ブトキシ基、ペンチロキシ基またはフェノキシ基である。また、該置換基としてのアルキルエステル基は、炭素数１から６の直鎖状又は分岐状のアルキルエステルである。また、該置換基としての芳香族炭化水素基は単環又は多環を含むアリール基である。また、該置換基としての複素環基は、例えばチエニル基、フラニル基、ピロリル基、イミダゾリル基、オキサゾリル基、チアジアゾリル基、ピラゾリル基、ピリジル基またはキノリル基である。また、Ｒ２、Ｒ３が、スルホニル基を有するアリール基であってもよい。
【００２９】
上記のＲ２およびＲ３は、それぞれ独立に、置換基を有してもよいチエニル基、フラニル基、ピロリル基、イミダゾリル基、オキサゾリル基、チアジアゾリル基、ピラゾリル基、ピリジル基またはキノリル基であることが好ましい。無置換あるいはフェニル基を用いた場合に比べ、蛍光波長が大きく長波長シフトし、大きなストークスシフトが得られるからである。より好ましくは、Ｒ２およびＲ３が、置換基を有してもよいチエニル基を示し、該置換基が、置換基を有してもよい芳香族炭化水素基、脂肪族炭化水素基または複素環基である。
ここで、置換基を有してもよい芳香族炭化水素基としては、単環または多環を含むアリール基であり、置換または無置換のフェニル基、ナフチル基、ビフェニル基等を挙げることができる。なお、置換基を有してもよい芳香族炭化水素基は、該置換基を１から３個含むことができ、該置換基としては、アルキル基、アルケニル基、アルキニル基、アルコキシ基、アルキルエステル基、リン酸エステル基、硫酸エステル基、ニトリル基、ヒドロキシル基、シアノ基、スルホニル基、芳香族炭化水素基または複素環基を挙げることができる。該置換基としてのアルキル基は、置換または無置換の炭素数１〜２０の直鎖状もしくは分岐状のアルキル基である。また、該置換基としてのアルケニル基は、無置換の炭素数２〜２０の直鎖状もしくは分岐状のアルケニル基である。また、該置換基としてのアルキニル基は、無置換の炭素数２〜２０の直鎖状もしくは分岐状のアルキニル基である。また、該置換基としてのアルコキシ基は、例えばメトキシ基、エトキシ基、プロポキシ基、イソプロポキシ基、ブトキシ基、ペンチロキシ基またはフェノキシ基である。また、該置換基としてのアルキルエステル基は、炭素数１から６の直鎖状又は分岐状のアルキルエステルである。
また、置換基を有してもよい脂肪族炭化水素基としては、置換または無置換の炭素数１〜２０の直鎖状もしくは分岐状のアルキル基、無置換の炭素数２〜２０の直鎖状もしくは分岐状のアルケニル基、無置換の炭素数２〜２０の直鎖状もしくは分岐状のアルキニル基等を挙げることができる。
また、置換基を有してもよい複素環基としては、置換または無置換のフラニル基、ピロリル基、イミダゾリル基、オキサゾリル基、チアジアゾリル基、ピラゾリル基、ピリジル基またはキノリル基を挙げることができる。
チエニル基の置換基としては、置換基を有してもよい芳香族炭化水素基または脂肪族炭化水素基が好ましく、より好ましくは置換基を有してもよい芳香族炭化水素基、さらに好ましくは単環または多環を含むアリール基であり、具体例としては、置換または無置換のフェニル基、ナフチル基、ビフェニル基等を挙げることができる。なお、置換基を有してもよい芳香族炭化水素基は、該置換基を１から３個含むことができ、該置換基としては、アルキル基、アルケニル基、アルキニル基、アルコキシ基、アルキルエステル基、リン酸エステル基、硫酸エステル基、ニトリル基、ヒドロキシル基、シアノ基、スルホニル基、芳香族炭化水素基または複素環基を挙げることができる。該置換基としてのアルキル基は、置換または無置換の炭素数１〜２０の直鎖状もしくは分岐状のアルキル基である。また、該置換基としてのアルケニル基は、無置換の炭素数２〜２０の直鎖状もしくは分岐状のアルケニル基である。また、該置換基としてのアルキニル基は、無置換の炭素数２〜２０の直鎖状もしくは分岐状のアルキニル基である。また、該置換基としてのアルコキシ基は、例えばメトキシ基、エトキシ基、プロポキシ基、イソプロポキシ基、ブトキシ基、ペンチロキシ基またはフェノキシ基である。また、該置換基としてのアルキルエステル基は、炭素数１から６の直鎖状又は分岐状のアルキルエステルである。
【００３０】
また、上記の反応性基は、上記のＭ１であってもよく、またはＭ１に導入してもよい。
【００３１】
本実施の形態によれば、上記のジアゾロピリジン誘導体とシランカップリング剤とを反応させることで得られるアルコキシシリル基含有有機ＥＬ色素は乾燥状態でも退光しにくい。そのため、そのアルコキシシリル基含有有機ＥＬ色素を用いて蛍光シリカ粒子を製造することで、乾燥状態でも退光しにくい蛍光シリカ粒子を提供することが可能となる。また、本実施の形態に用いたジアゾロピリジン誘導体は、高い水溶性を有しているので、生体分子に対する標識率を向上させることができ、高感度の生体分子の検出が可能となる。また、ジアゾロピリジン誘導体の置換基を変えることにより励起波長及び発光波長を変化させ、ストークスシフトの大きい２種以上の蛍光シリカ粒子を用いることが可能となり、一つの試料中に含まれる複数の標的分子を同時に検出することが可能となる。特に、Ｒ２およびＲ３に、置換基を有してもよいチエニル基を用いた場合、１００ｎｍを越えるストークスシフトが得られるので、励起光の影響を受けることがなく高感度の検出が可能となる。
【００３２】
実施の形態２
本実施の形態に係るアルコキシシリル基含有有機ＥＬ色素は、有機ＥＬ色素に以下の一般式（４）、（５）、（６）で表されるジアゾロピリジン誘導体を用いる。本実施の形態においても、実施の形態１の場合と同様の効果が得られる。
【００３３】
【化２】
2016068324.tif 000004
【００３４】
式（４）および式（６）ではＲ１は、そして式（５）ではＲ１とＲ４の一方は、一般式Ｌ２−Ｍ２で示され、Ｍ２は、置換基を有してもよいピリジニウム基、２級アミニウム基、３級アミニウム基、４級アンモニウム基、ピペリジニウム基、ピペラジニウム基、イミダゾリウム基、チアゾリウム基、オキサゾリウム基、キノリウム基、ベンゾイミダゾリウム基、ベンゾチアゾリウム基又はベンゾオキサゾリウム基である窒素カチオン含有基、あるいは置換基を有してもよいピリジル基、２級アミノ基、３級アミノ基、ピペリジル基、ピペラジル基、イミダゾリル基、チアゾリル基、オキサゾリル基、キノリル基、ベンゾイミダゾリル基、ベンゾチアゾリル基又はベンゾオキサゾリル基である窒素含有基を示し、Ｌ２は、Ｍ２と中心ピリジン環または中心ベンゼン環とを連結するリンカーであり、直接結合、あるいは−（ＣＨ２）ｔ−（ｔは１〜４の整数）、−ＮＨＣＯＯ−、−ＣＯＮＨ−、−ＣＯＮ（ＣＨ３）−、−ＣＯＯ−、−ＳＯ２ＮＨ−、−ＨＮ−Ｃ（＝ＮＨ）−ＮＨ−、−Ｏ−、−Ｓ−、−ＮＲ（Ｒはアルキル基）、−Ａｒ−（Ａｒは芳香族炭化水素基）、−ＣＯ−Ａｒ−ＮＲ−、からなる群から選択された１種以上の官能基を示し、式（５）のＲ１とＲ４の残部、式（４）から式（６）のＲ２およびＲ３は、それぞれ独立に、置換基を有してもよいチエニル基、フラニル基、ピロリル基、イミダゾリル基、オキサゾリル基、チアジアゾリル基、ピラゾリル基、ピリジル基またはキノリル基を示し、Ｘは置換基を有していてもよい窒素原子、硫黄原子、酸素原子、セレン原子又はボロン原子を示し、Ｒ’は芳香環を含んでもよいアルキル基からなる脂肪族炭化水素基あるいは芳香族炭化水素基、Ａｎ−は、ハロゲン化物イオン、ＣＦ３ＳＯ３−、ＢＦ４−又はＰＦ６−を示す。
【００３５】
ここで、Ｍ２は、上記の結合基Ｑと直接結合あるいは−（ＣＨ２）ｐ−（ｐは１から１０の整数）または−（Ｏ−ＣＨ２ＣＨ２）ｑ−（ｑは１から１０の整数）を介して結合する。
【００３６】
Ｒ２およびＲ３は、置換基を有してもよいチエニル基を示し、該置換基が、置換基を有してもよい芳香族炭化水素基、脂肪族炭化水素基または複素環基であることが好ましい。ここで、置換基を有してもよい芳香族炭化水素基としては、単環または多環を含むアリール基であり、具体例としては、置換または無置換のフェニル基、ナフチル基、ビフェニル基等を挙げることができる。なお、置換基を有してもよい芳香族炭化水素基は、該置換基を１から３個含むことができ、該置換基としては、アルキル基、アルケニル基、アルキニル基、アルコキシ基、アルキルエステル基、リン酸エステル基、硫酸エステル基、ニトリル基、ヒドロキシル基、シアノ基、スルホニル基、芳香族炭化水素基または複素環基を挙げることができる。該置換基としてのアルキル基は、置換または無置換の炭素数１〜２０の直鎖状もしくは分岐状のアルキル基である。また、該置換基としてのアルケニル基は、無置換の炭素数２〜２０の直鎖状もしくは分岐状のアルケニル基である。また、該置換基としてのアルキニル基は、無置換の炭素数２〜２０の直鎖状もしくは分岐状のアルキニル基である。また、該置換基としてのアルコキシ基は、例えばメトキシ基、エトキシ基、プロポキシ基、イソプロポキシ基、ブトキシ基、ペンチロキシ基またはフェノキシ基である。また、該置換基としてのアルキルエステル基は、炭素数１から６の直鎖状又は分岐状のアルキルエステルである。また、置換基を有してもよい脂肪族炭化水素基としては、置換または無置換の炭素数１〜２０の直鎖状もしくは分岐状のアルキル基、無置換の炭素数２〜２０の直鎖状もしくは分岐状のアルケニル基、無置換の炭素数２〜２０の直鎖状もしくは分岐状のアルキニル基等を挙げることができる。また、置換基を有してもよい複素環基としては、置換または無置換のフラニル基、ピロリル基、イミダゾリル基、オキサゾリル基、チアジアゾリル基、ピラゾリル基、ピリジル基またはキノリル基を挙げることができる。チエニル基の置換基としては、置換基を有してもよい芳香族炭化水素基または脂肪族炭化水素基が好ましく、より好ましくは置換基を有してもよい芳香族炭化水素基であり、具体例としては、置換または無置換のフェニル基、ナフチル基、ビフェニル基等を挙げることができる。なお、置換基を有してもよい芳香族炭化水素基は、該置換基を１から３個含むことができ、該置換基としては、アルキル基、アルケニル基、アルキニル基、アルコキシ基、アルキルエステル基、リン酸エステル基、硫酸エステル基、ニトリル基、ヒドロキシル基、シアノ基、スルホニル基、芳香族炭化水素基または複素環基を挙げることができる。該置換基としてのアルキル基は、置換または無置換の炭素数１〜２０の直鎖状もしくは分岐状のアルキル基である。また、該置換基としてのアルケニル基は、無置換の炭素数２〜２０の直鎖状もしくは分岐状のアルケニル基である。また、該置換基としてのアルキニル基は、無置換の炭素数２〜２０の直鎖状もしくは分岐状のアルキニル基である。また、該置換基としてのアルコキシ基は、例えばメトキシ基、エトキシ基、プロポキシ基、イソプロポキシ基、ブトキシ基、ペンチロキシ基またはフェノキシ基である。また、該置換基としてのアルキルエステル基は、炭素数１から６の直鎖状又は分岐状のアルキルエステルである。
【００３７】
また、上記の反応性基は、上記のＭ２であってもよく、またはＭ２に導入してもよい。
【００３８】
実施の形態３
本実施の形態に係るアルコキシシリル基含有有機ＥＬ色素は、有機ＥＬ色素に以下の一般式（７）、（８）、（９）で表されるジアゾロピリジン誘導体を用いる。本実施の形態においても、実施の形態１の場合と同様の効果が得られる。
【００３９】
【化３】
2016068324.tif 000005
【００４０】
ここで、式（７）、（８）、（９）のＲ１、Ｒ２、Ｒ３、Ｒ４は、それぞれ独立に、水素原子、ハロゲン原子、置換基としてアルキル基、アルケニル基、アルキニル基、アルコキシ基、アルキルエステル基、リン酸エステル基、硫酸エステル基、ニトリル基、ヒドロキシル基、シアノ基、スルホニル基、芳香族炭化水素基又は複素環基を有してもよい芳香族炭化水素基又は炭化水素基又は複素環基を示し、Ｘは置換基を有していてもよい窒素原子、硫黄原子、酸素原子、セレン原子またはボロン原子を示し、Ｒ‘は芳香環を含んでも良いアルキル基からなる脂肪族炭化水素基あるいは芳香族炭化水素基、Ａｎ−は、ハロゲン化物イオン、ＣＦ３ＳＯ３−、ＢＦ４−又はＰＦ６−を示す。
【００４１】
ここで、Ｒ１またはＲ４が前記の結合基と直接結合している。
【００４２】
Ｒ２およびＲ３が、それぞれ独立に、置換基を有してもよいチエニル基、フラニル基、ピロリル基、イミダゾリル基、オキサゾリル基、チアジアゾリル基、ピラゾリル基、ピリジル基またはキノリル基であってもよい。
【００４３】
また、Ｒ２およびＲ３が、置換基を有してもよいチエニル基を示し、該置換基が、置換基を有してもよい芳香族炭化水素基、脂肪族炭化水素基または複素環基であってもよい。
【００４４】
また、上記の反応性基は、Ｒ１またはＲ４に導入することができる。
【００４５】
実施の形態４
本実施の形態に係るアルコキシシリル基含有有機ＥＬ色素は、有機ＥＬ色素に以下の一般式（１０）〜（１４）で表されるイミダゾール誘導体を用いる。本実施の形態においても、実施の形態１の場合と同様の効果が得られる。
【００４６】
【化４】
2016068324.tif 000006
【００４７】
ここで、式（１０）、（１２）および（１３）のＲ１とＲ４の一方、そして式（１１）および（１４）のＲ１、Ｒ４およびＲ５のいずれか一つは、一般式Ｌ３−Ｍ３示され、Ｍ３は、置換基を有してもよいピリジニウム基、２級アミニウム基、３級アミニウム基、４級アンモニウム基、ピペリジニウム基、ピペラジニウム基、イミダゾリウム基、チアゾリウム基、オキサゾリウム基、キノリウム基、ベンゾイミダゾリウム基、ベンゾチアゾリウム基又はベンゾオキサゾリウム基である窒素カチオン含有基、あるいは置換基を有してもよいピリジル基、２級アミノ基、３級アミノ基、ピペリジル基、ピペラジル基、イミダゾリル基、チアゾリル基、オキサゾリル基、キノリル基、ベンゾイミダゾリル基、ベンゾチアゾリル基又はベンゾオキサゾリル基である窒素含有基を示し、Ｌ３は、−（ＣＨ＝ＣＲ６）ｕ−で表され、Ｍ３と中心ピリジン環または中心ベンゼン環とを連結するリンカーであり、ｕは１から５の整数からなり、Ｒ６は、水素原子；置換基を有してもよい炭素数１から６の直鎖状または分岐状のアルキル基；置換基を有してもよいスルホ基；置換基を有してもよいイミダゾリウム基、ピリジニウム基およびフラン基からなる群から選択された複素環基；置換基を有してもよい２級アミノ基、３級アミノ基および４級アミノ基からなる群から選択されたアミノ基；置換基を有してもよいヒドロキシ基；置換基を有してもよいアルコキシ基；置換基を有してもよいアルデヒド基；置換基を有してもよいカルボキシル基；置換基を有してもよい芳香族基のいずれか１種を示し、式（１０）、（１２）および（１３）のＲ１とＲ４の残部、式（１１）および（１４）のＲ１、Ｒ４およびＲ５の残部、そしてＲ２およびＲ３は、それぞれ独立に、水素原子、ハロゲン原子、置換基を有してもよい芳香族炭化水素基又は脂肪族炭化水素基又は複素環基を示し、Ｘは置換基を有していてもよい窒素原子、硫黄原子、酸素原子、セレン原子又はボロン原子を示し、Ｒ’は芳香環を含んでもよいアルキル基からなる脂肪族炭化水素基あるいは芳香族炭化水素基、Ａｎ−は、ハロゲン化物イオン、ＣＦ３ＳＯ３−、ＢＦ４−又はＰＦ６−を示す。
【００４８】
ここで、Ｍ３は、上記の結合基Ｑと直接結合あるいは−（ＣＨ２）ｐ−（ｐは１から１０の整数）または−（Ｏ−ＣＨ２ＣＨ２）ｑ−（ｑは１から１０の整数）を介して結合する。
【００４９】
Ｒ２およびＲ３は、それぞれ独立に、置換基を有してもよい芳香族炭化水素基または脂肪族炭化水素基または複素環基であることが好ましい。該置換基としては、アルキル基、アルケニル基、アルキニル基、アルコキシ基、アルキルエステル基、リン酸エステル基、硫酸エステル基、ニトリル基、ヒドロキシル基、シアノ基、スルホニル基、芳香族炭化水素基または複素環基を挙げることができる。該置換基としてのアルキル基は、置換または無置換の炭素数１〜２０の直鎖状もしくは分岐状のアルキル基である。また、該置換基としてのアルケニル基は、無置換の炭素数２〜２０の直鎖状もしくは分岐状のアルケニル基である。また、該置換基としてのアルキニル基は、無置換の炭素数２〜２０の直鎖状もしくは分岐状のアルキニル基である。また、該置換基としてのアルコキシ基は、例えばメトキシ基、エトキシ基、プロポキシ基、イソプロポキシ基、ブトキシ基、ペンチロキシ基またはフェノキシ基である。また、該置換基としてのアルキルエステル基は、炭素数１から６の直鎖状又は分岐状のアルキルエステルである。また、該置換基としての芳香族炭化水素基は単環又は多環を含むアリール基である。また、該置換基としての複素環基は、例えばチエニル基、フラニル基、ピロリル基、イミダゾリル基、オキサゾリル基、チアジアゾリル基、ピラゾリル基、ピリジル基またはキノリル基である。また、Ｒ２、Ｒ３が、スルホニル基を有するアリール基であってもよい。
【００５０】
また、Ｒ’、Ｒ”は芳香環を含んでも良いアルキル基からなる脂肪族炭化水素基あるいは芳香族炭化水素基を示す。ここで、その脂肪族炭化水素基あるいは芳香族炭化水素基には、上記と同様のものを用いることができる。
【００５１】
また、実施の形態１の場合と同様、上記のＲ２およびＲ３は、それぞれ独立に、置換基を有してもよいチエニル基、フラニル基、ピロリル基、イミダゾリル基、オキサゾリル基、チアジアゾリル基、ピラゾリル基、ピリジル基またはキノリル基であることが好ましい。無置換あるいはフェニル基を用いた場合に比べ、蛍光波長が大きく長波長シフトし、大きなストークスシフトが得られるからである。より好ましくは、Ｒ２およびＲ３が、置換基を有してもよいチエニル基を示し、該置換基が、置換基を有してもよい芳香族炭化水素基、脂肪族炭化水素基または複素環基である。また、チエニル基の置換基については実施の形態１の場合と同様のものを用いることができる。
【００５２】
また、上記の反応性基は、上記のＭ３であってもよく、またはＭ３に導入してもよい。
【００５３】
実施の形態５
本実施の形態に係るアルコキシシリル基含有有機ＥＬ色素は、有機ＥＬ色素に以下の一般式（１５）で表されるカルバゾール誘導体を用いる。本実施の形態においても、実施の形態１の場合と同様の効果が得られる。
【００５４】
【化５】
2016068324.tif 000007
【００５５】
ここで、Ｒ１およびＲ２は、それぞれ独立に、水素原子、ハロゲン原子、あるいは置換基を有してもよい芳香族炭化水素基または脂肪族炭化水素基または複素環基である。該置換基としては、アルキル基、アルケニル基、アルキニル基、アルコキシ基、アルキルエステル基、リン酸エステル基、硫酸エステル基、ニトリル基、ヒドロキシル基、シアノ基、スルホニル基、芳香族炭化水素基または複素環基を挙げることができる。該置換基としてのアルキル基は、置換または無置換の炭素数１〜２０の直鎖状もしくは分岐状のアルキル基である。また、該置換基としてのアルケニル基は、無置換の炭素数２〜２０の直鎖状もしくは分岐状のアルケニル基である。また、該置換基としてのアルキニル基は、無置換の炭素数２〜２０の直鎖状もしくは分岐状のアルキニル基である。また、該置換基としてのアルコキシ基は、例えばメトキシ基、エトキシ基、プロポキシ基、イソプロポキシ基、ブトキシ基、ペンチロキシ基またはフェノキシ基である。また、該置換基としてのアルキルエステル基は、炭素数１から６の直鎖状又は分岐状のアルキルエステルである。また、該置換基としての芳香族炭化水素基は単環又は多環を含むアリール基である。また、該置換基としての複素環基は、例えばチエニル基、フラニル基、ピロリル基、イミダゾリル基、オキサゾリル基、チアジアゾリル基、ピラゾリル基、ピリジル基またはキノリル基である。また、Ｒ１、Ｒ２が、スルホニル基を有するアリール基であってもよい。
【００５６】
Ｒ５は、芳香環を含んでも良いアルキル基からなる脂肪族炭化水素基あるいは芳香族炭化水素基である。
【００５７】
ここで、Ｒ１またはＲ２は、上記の結合基Ｑとの直接結合でもよい。
【００５８】
また、上記の反応性基は、Ｒ１またはＲ２に導入することができる。
【００５９】
実施の形態６
本実施の形態に係るアルコキシシリル基含有有機ＥＬ色素は、実施の形態１における一般式（１）、（２）、（３）で表されるジアゾロピリジン誘導体において、式（１）および式（３）ではＲ１は、そして式（２）ではＲ１とＲ４の一方は、上記の結合基Ｑと直接結合する。結合基Ｑはアミド結合、エーテル結合、チオエーテル結合、チオエステル結合、チオウレア結合、ジスルフィド結合およびポリオキシエチレン結合から選択することができる。そして、結合基Ｑは上記のＺを介してアルコキシシリル基と結合する。また、式（２）のＲ１とＲ４の残部、そして式（１）から（３）のＲ２およびＲ３は、それぞれ独立に、水素原子、ハロゲン原子、置換基を有してもよい芳香族炭化水素基または脂肪族炭化水素基または複素環基である。また、一般式（１）、（２）、（３）中のＸは置換基を有していてもよい窒素原子、硫黄原子、酸素原子、セレン原子又はボロン原子であり、Ｒ’は芳香環を含んでもよいアルキル基からなる脂肪族炭化水素基あるいは芳香族炭化水素基、Ａｎ−は、ハロゲン化物イオン、ＣＦ３ＳＯ３−、ＢＦ４−又はＰＦ６−を示す。
【００６０】
本実施の形態によれば、上記のジアゾロピリジン誘導体とシランカップリング剤とを反応させることで得られるアルコキシシリル基含有有機ＥＬ色素は乾燥状態でも退光しにくい。そのため、そのアルコキシシリル基含有有機ＥＬ色素を用いて蛍光シリカ粒子を製造することで、乾燥状態でも退光しにくい蛍光シリカ粒子を提供することが可能となる。
【００６１】
本発明のアルコキシシリル基含有有機ＥＬ色素は、水溶液と混合し縮合させることで、蛍光シリカ粒子を製造することができる。例えば、特許文献１に記載の方法を用い、水溶液と混合し縮合させることで密集コアを形成させ、その密集コアとシランカップリング剤と混合して、密集コア上にシリカ殻を形成することで、蛍光シリカ粒子を製造することができる。
【００６２】
（用途）
本発明の蛍光シリカ粒子は、標識された固体あるいは半固体状態の生体分子の蛍光を測定する検出方法であれば、あらゆる生体分子の検出方法に適用することが可能であり、以下の用途が期待できる。例えば、核酸を検出対象とするＤＮＡマイクロアレイ法や、プライマーやターミネータを用いるＰＣＲ法に用いることができる。
【００６３】
また、タンパク質を検出対象とする場合、通常、電気泳動後のタンパク質の検出には染色色素が用いられている。泳動後のゲル中に、染色色素、例えばクーマシーブリリアントブルー（ＣＢＢ）を浸透させてタンパク質を染色し、ＵＶを照射して発光させる方法が用いられる。しかしながら、従来の染色色素を用いる方法は簡便であるが、感度が１００ｎｇ程度と低く微量のタンパク質の検出には適さない。また、ゲルを介して染色色素を浸透させるため、染色に長時間を要するという問題もある。これに対し、本発明の蛍光シリカ粒子を用いると高感度であり、微量タンパク質の検出には好適である。さらに、サイズ分離したタンパク質を質量分析して同定することも期待できる。
【００６４】
ここで、タンパク質には、アルブミン、グロブリン、グルテリン、ヒストン、プロタミン、そしてコラーゲン等の単純タンパク質、核タンパク質、糖タンパク質、リボタンパク質、リンタンパク質、金属タンパク質等の複合タンパク質のいずれも検出対象とすることができる。例えば、リンタンパク質、糖タンパク質、総タンパク質の染色色素に対応させて３種の蛍光色素を用い、二次元電気泳動で分離したタンパク質試料において、リンタンパク質、糖タンパク質及び総タンパク質を染色することができる。また、ＴＯＦ−Ｍａｓｓ等の質量分析を行うことにより、タンパク質を同定できるので、特殊なタンパク質を生成させる、ガンやウィルスによる感染症などの疾病の診断や治療に応用することが期待できる。また、コラーゲンは、動物の結合組織を構成するタンパク質であり、独特の繊維状構造をとる。すなわち、３本のポリペプチド鎖からなり、そのペプチド鎖が寄り集まって三重鎖を形成する。コラーゲンは、一般に極めて免疫原性が低いタンパク質であり、食品、化粧品、医薬品等の分野で広く利用されている。しかし、コラーゲンのペプチド鎖に蛍光色素を導入しても、従来の蛍光色素ではその安定性が十分とは言えず、より安定な蛍光色素が必要とされている。そこで、本発明の蛍光シリカ粒子を用いてコラーゲンを標識することにより、安定かつ高感度な検出を行うことが期待できる。
【００６５】
また、タンパク質と特異的に結合する抗体を本発明の蛍光シリカ粒子で標識することにより、タンパク質を標識することも期待できる。例えば、ＩｇＧ抗体をペプシンで処理するとＦ（ａｂ’）２と呼ばれるフラグメントが得られる。このフラグメントをジチオスレイトール等で還元するとＦａｂ’と呼ばれるフラグメントが得られる。Ｆａｂ’フラグメントは1つもしくは２つのチオール基（−ＳＨ）を有している。このチオール基に対してマレイミド基を作用させて特異的な反応を行うことができる。すなわち、有機ＥＬ蛍光シリカ粒子に反応性基としてマレイミド基を導入し、フラグメントのチオール基と反応させることにより抗体を標識することが期待できる。この場合、抗体の生理活性（抗原捕捉能）を失うことがない。
【００６６】
なお、本発明の蛍光シリカ粒子でアプタマーを標識することもできる。アプタマーはオリゴ核酸からなり、塩基配列に依存して種々の特徴ある立体構造をとることができるので、その立体構造を介してタンパク質を含むあらゆる生体分子に結合することができる。この性質を利用し、本発明の蛍光シリカ粒子で標識したアプタマーを特定のタンパク質に結合させ、被検出物質との結合によるそのタンパク質の構造変化に伴う蛍光変化から間接的に被検出物質を検出することが期待できる。
【００６７】
また、本発明の蛍光シリカ粒子を用いて金属イオンの検出を行うことも期待できる。体内のＤＮＡやタンパク質などの安定性や高次構造の維持、機能発現、そして生体内のすべての化学反応を司る酵素の活性化など、生体内で起こるあらゆる生命現象に金属イオンは関与している。そのため、生体内での金属イオンの動きをリアルタイムで観察できる金属イオンセンサは医療分野を初めとしてその重要性が叫ばれている。従来、生体分子に蛍光色素を導入した金属イオンセンサが知られている。例えば、Ｋ＋イオン存在化において、Ｋ＋イオン取り込んで特殊な構造をとる配列を有する核酸を利用する金属イオンセンサが提案されている（J. AM. CHEM. SOC. 2002, 124, 14286-14287）。エネルギートランスファーを起こす蛍光色素を核酸の両端に導入する。通常は色素間距離があるためエネルギートランスファーは起きない。しかし、Ｋ＋イオン存在下では核酸が特殊な形をとる結果、蛍光色素がエネルギートランスファーを起こす距離に近接することで、蛍光を観察することができる。また、ペプチドに蛍光色素を導入した亜鉛イオンセンサも提案されている（J. Am. Chem. Soc. 1996, 118, 3053-3054）。これらの従来の蛍光色素に代えて本発明の蛍光シリカ粒子を用いることにより、従来に比べ高感度で取り扱いが容易な金属イオンセンサを提供することが期待できる。なお、生体内に存在する金属イオンであれば、すべての金属イオンを検出することが期待できる。
【００６８】
また、本発明の蛍光シリカ粒子を用いて、細胞内のシグナル観察を行うことも期待できる。内部シグナルや環境情報に対する細胞の応答には、イオンから酵素へと多大な分子が関与している。シグナル伝達過程では特殊なプロテインキナーゼが活性化し、特殊な細胞タンパク質のリン酸化を導くことで様々な細胞応答の初期応答を担っていることが知られている。ヌクレオチドの結合と加水分解はこれらの活性に重大な役割を果たしており、ヌクレオチド誘導体を用いることで、シグナル伝達挙動を素早く観察することができる。例えば、プロテインキナーゼＣ（ＰＫＣ）は細胞膜におけるシグナル伝達において重要な役割を果たしている。このＣａ２＋依存セリン／スレオニンプロテインキナーゼはジアシルグリセロールやフォスファティジルセリンの様な膜構成脂質上で活性化され、イオンチャネルや細胞骨格タンパク質に存在するセリンやスレオニンをリン酸化することで膜表面電化を変えシグナル伝達を行っている。これらを生細胞において動的に観察することで細胞のシグナル伝達の観察を行うことができる。
【００６９】
ここで、ヌクレオチド誘導体は酵素の基質や阻害剤として供給され、孤立性タンパク質の構造と力学の探査、膜結合タンパク酵素の再構成、ミトコンドリアのようなオルガネラ、除膜筋線維のような組織のヌクレオチド結合タンパク質部分に、結合してその調節を行っている。また、最近ではＧ−タンパク質の阻害剤や活性体のようなシグナル伝達に影響を与える化合物の存在も解ってきている。このヌクレオチド誘導体に本発明の蛍光シリカ粒子を導入することで、これらの細胞内シグナル伝達の動的観察を高感度で、かつ取り扱い容易に行うことが可能となる。
【００７０】
また、本発明の蛍光シリカ粒子を、組織又は細胞試料中の標的核酸や標的タンパク質の発現レベルの検討に用いる組織又は細胞の染色色素としても用いることが期待できる。すなわち、有機ＥＬ蛍光シリカ粒子を真核細胞の染色に用いると、乾燥状態でも蛍光を発することから標識後の保存などの点で従来の色素よりも優れた性能を示すことが期待できる。また、真核細胞のみならず、細胞骨格用色素としても十分に用いることが可能である。この他、ミトコンドリア、ゴルジ体、小胞体、ソリゾーム、脂質二重膜などの標識に用いることが可能である。これら、標識された細胞等は、湿潤及び乾燥のあらゆる条件下で観測が可能であるため、汎用性が大きい。観測に際しては、蛍光顕微鏡などを用いることができる。
【００７１】
また、臨床段階で人体より採取された組織は、ミクロトームなどの機器を用いて薄膜にスライスした後、染色されている。ここでは、Ｃｙ色素及びＡｌｅｘａ色素が用いられている。しかしながら、既存の色素は安定性が非常に悪く、再診断の際には、再びサンプルを作製する必要がある。また、作製されたサンプルは標本として保存することが不可能である。しかし、上記の従来の色素に比べ本発明の蛍光シリカ粒子は、非常に安定な色素であるので、染色した組織を標本として保存することが可能である。
【００７２】
また、ガンや感染症等の診断には、抗体の特異的認識能を利用したイムノアッセイが用いられている。イムノアッセイは、標識抗体を用いて目的の抗原を検出する方法であり、標識物質に酵素を用いる酵素イムノアッセイ（ＥＬＩＳＡ法）や標識物質に蛍光色素を用いる蛍光イムノアッセイ（ＦＩＡ法）等が用いられている。ＥＬＩＳＡ法は、最終的な検出は標識物質である酵素の反応によって生じるさまざまなシグナル（発色、発光、化学発光等）を検出及び定量することにより行う。一方、ＦＩＡ法は、標識物質である蛍光色素に励起光を照射し、それによる蛍光を検出及び定量することにより行う。ＦＩＡ法は蛍光色素を用いるため鮮明なコントラストを有し定量性に優れ、またＥＬＩＳＡ法に比べ、より短時間での検出が可能でかつ操作も簡便であるという特徴を有している。しかしながら、従来の蛍光色素は標識率が低いという問題がある。例えば、抗体に対して２００倍モル程度の蛍光色素を用いているが、この条件下においても標識率は５０−６０％程度であった。そのため、蛍光色素を大量に使用する必要があるため検出費用が高コストになったり、未反応の蛍光色素を除去するための処理工程が必要となり検出に長時間を要するという問題があった。これに対し、本発明の蛍光シリカ粒子を用いることにより、標識率を向上させることができるので、より高感度の検出を行うことが期待できる。また、イムノクロマトグラフィーを用いた診断薬も開発されている。例えば、金ナノコロイド粒子を用いた感染症の診断方法が存在する。本発明の蛍光シリカ粒子を用いることにより、蛍光イムノクロマトグラフィーを用いた診断薬も期待できる。
【００７３】
また、本発明の蛍光シリカ粒子を化粧用組成物に用いることもできる。蛍光色素を含む化粧用組成物は、夜間や室内における演出用の化粧としてだけでなく、蛍光色素の明色化効果を利用して、ファンデーションや毛髪の染色剤等に用いられている。ここで、明色化効果とは、蛍光色素が紫外光を吸収して可視光を放出して、皮膚や毛髪に明るさや鮮やかさを与える効果をいう。日本の室内照明には、昼光色や白色の蛍光灯が使われているが、これらの蛍光灯からの光は、青や緑が主であり赤が少ない。そのため、女性の化粧肌は青白くくすんで見えるという問題がある。これに対し、本発明の蛍光シリカ粒子を用いることにより、例えば、橙色の光を放出する蛍光色素を用い、鮮やかな赤味の色を発色させてくすみの解消を図ることが期待できる。また、毛髪の染色に用いると、蛍光色素は可視領域の放出光線により毛髪の色を変えるだけでなく、毛髪の輝きを増加させることも期待できる。
【００７４】
また、本発明の蛍光シリカ粒子をマーキング剤に用いることもできる。本発明の蛍光シリカ粒子を含むマーキング剤は、通常の可視光下では不可視であるが、紫外線等の励起光を照射することにより蛍光色素を発光させて視認することができる。この性質を利用し、犯罪防止や犯罪捜査を目的として、物品や人体等の識別や物質の検出等に使用することができる。マーキング剤の対象物には、偽造や盗難等の犯罪の防止や犯罪捜査の対象となる物品や人体が含まれる。例えば、紙幣、小切手、株券、各種証明書等の重要文書や、自動車、オートバイ、自転車、美術品、家具、ブランド品、衣服等の物品、人体の皮膚、頭髪、爪等の身体表面部分、潜在指紋等の遺留物質等を挙げることができる。さらに、対象物を構成する材料に関しては、上質紙、ＯＣＲ紙、ノーカーボン紙、アート紙等の紙や、塩化ビニル、ポリエステル、ポリエチレンテレフタレート、ポリプロピレン等のプラスチックや、金属や、ガラスや、セラミックスや、羊毛、木綿、絹、麻等の天然繊維や、再生セルロース繊維、ポリビニルアルコール繊維、ポリアミド繊維、ポリエステル繊維等の合成繊維や、人体皮膚や体液中のタンパク質等を挙げることができる。
【実施例】
【００７５】
以下、実施例を用いて本発明をさらに詳細に説明するが、本発明の範囲は以下の実施例により限定されるものではない。【００７６】
合成例１
アルコキシシリル基として３−アミノプロピルトリメトキシシラン（以下、ＡＰＳと略す）を含む４，７−ジフェニル−１，２，５−オキサジアゾロピリジンのエステル体の合成について説明する。まず、以下のスキーム１は、そのエステル体（４）の合成スキームである。【００７７】
【化６】
2016068324.tif 000008
【００７８】
（１）ジケトン誘導体（２）の合成
５００ｍｌ三口フラスコ中で４−メトキシアセトフェノン（１）  ３０．０ｇ（０．２５ｍｏｌ）、亜硝酸ナトリウム０．１５ｇを酢酸１００ｍｌに溶解した。水浴中、硝酸１００ｍｌを酢酸１００ｍｌに溶解したものを１時間かけて滴下した。その後、室温で２日間撹拌した。反応混合物を５００ｍｌの水にゆっくりと入れ、沈殿を生成させた。沈殿物は濾過し、クロロホルムに溶解した。クロロホルム相を飽和重曹水で洗浄し、１０％ＮａＣｌ水溶液で２回洗浄した。無水硫酸マグネシウムで脱水した後、減圧下、クロロホルムを留去し、オキサジアゾール−Ｎ−オキサイド（２）を得た（収量３０．５ｇ、収率８２％)。【００７９】
（２）ジケトン誘導体（３）の合成
５００ｍｌ三口フラスコ中でオキサジアゾール−Ｎ−オキサイド（２）  １４．７ｇ（０．０５ｍｏｌ）をアセトニトリル４００ｍｌに溶解した。それに金属亜鉛６．０ｇ、酢酸７ｍｌ、無水酢酸２０ｍｌを添加した。水浴中で反応温度が３５℃を超えないように冷却した。６時間撹拌して反応終点とした。反応混合物を濾過し、不溶分を除去した。アセトニトリルを減圧下留去して残渣を得た。残渣をクロロホルムで再結晶し、オキサジアゾールジベンゾイル体（３）を得た（収量９．６ｇ、収率６９％）。【００８０】
（３）ジフェニルオキサジアゾロピリジンエチルエステル体（４）の合成
５００ｍｌ三口フラスコ中でオキサジアゾールジベンゾイル体（３）  １０．０ｇ（０．０３５ｍｏｌ）をブタノール３００ｍｌに溶解した。そこへグリシンエチルエステル塩酸塩３２．０ｇ（０．２３ｍｏｌ）を添加した。２４時間加熱還流を行った。ブタノールを減圧下留去し、残渣を得た。残渣を２００ｍｌのクロロホルムに溶解し、１０％塩酸、飽和重曹水、１０％ＮａＣｌ水溶液で洗浄した。無水硫酸マグネシウムで乾燥し、溶媒を留去した。得られた残渣をクロロホルムで再結晶し、４，７−ジフェニル−１，２，５−オキサジアゾロピリジンエチルエステル（４）（以下、エステル体（４）という。）を得た（収量７．６ｇ、収率６５％）。【００８１】
（４）活性エステル体（５）の合成
５０ｍｌ三口フラスコで合成例１のエステル体（４）  １．０ｇ（１．６ｍｍｏｌ）を３０ｍｌのエタノールに溶解した。そこへＫＯＨ  ０．１１ｇ（３．０ｍｍｏｌ）を添加した。５時間加熱還流を行った後、反応混合物を５０ｍｌの水へ添加した。水溶液を塩酸でｐＨ１に調整し沈殿を得た。沈殿物を水-エタノール（１:１）で再結晶し、カルボン酸体を得た（収量０．４７ｇ、収率８１％）。【００８２】
５０ｍｌ三口フラスコでカルボン酸体を７０ｍｇ（０．１７ｍｍｏｌ）とＮ−ヒドロキシスクシンイミド２１ｍｇ（０．１８ｍｍｏｌ）をＤＭＦ２０ｍｌに溶解した。これにＤＭＦ５ｍｌに溶解したＮ，Ｎ’−ジシクロヘキシルカルボジイミド３７ｍｇ（０．１７ｍｍｏｌ）を３０分かけて滴下した。滴下後、室温で３０時間撹拌した。減圧下、ＤＭＦを留去した。残渣をシリカゲルカラムクロマトグラフィーで単離し、活性エステル体（５）を得た（収量９０ｍｇ、収率７８％）。【００８３】
（５）活性エステル体（５）とＡＰＳとの反応
活性エステル体（５）とＡＰＳとの反応を以下に示す。【００８４】
【化７】
2016068324.tif 000009
【００８５】
ナスフラスコに活性エステル体（５）を１００ｍｇ（２４１μｍｏｌ）入れ、ジクロロメタン１０ｍＬで溶解させた。ＡＰＳ  ０．１ｍＬ（４８２μｍｏｌ）を反応溶液に添加し、室温で反応を開始した。２時間反応後、セライト濾過を行い、反応溶液をエバポレーターで減圧留去した。生成物をカラムクロマト精製（ＣＨＣｌ３：ＡＣＯＡＴ＝９．５：０．５）し、減圧留去後、真空ポンプで乾燥させ、ＡＰＳ含有体（６）を得た（収量４５．７ｍｇ、収率３６％）。【００８６】
ＡＰＳ含有体（６）について、１Ｈ−ＮＭＲによる分析結果を示す。
１Ｈ−ＮＭＲより、８．６７０〜８．６５０ｐｐｍにベンゼン環の２Ｈ、７．６４９〜７．５０３ｐｐｍに８Ｈの水素が確認された。８．０１１ｐｐｍにアミド結合の水素１Ｈが確認された。３．８４９〜３．８００ｐｐｍにトリエトキシシランの６Ｈ、１．２３３〜１．２０１ｐｐｍに９Ｈの水素が確認された。３．４８５〜３．４３４ｐｐｍ、１．７７７〜１．７０１ｐｐｍ、０．７１３〜０．６７１ｐｐｍにトリエトキシシランのアルキル鎖、各２Ｈずつ、合計６Ｈが確認された。【００８７】
合成例２
アルコキシシリル基としてＡＰＳを含む４，７−ジフェニル−１，２，５−オキサジアゾロピリジンの窒素カチオン体の合成について説明する。【００８８】
（１）活性エステル体（９）の合成【００８９】
【化８】
2016068324.tif 000010
【００９０】
２０ｍｌの二つ口フラスコでピリジン体（７）０．２ｇ（２．８５×１０−４ｍｏｌ）と、スクシンイミジルエステル体（８）０．７３４ｇ（１．４３×１０−３ｍｏｌ）とを混合した。その後、フラスコ内をアルゴンで置換し、脱気を行った。その後、シリンジを用いてトルエンを１０ｍｌ加え、１２０℃で２日間撹拌した。冷却後、沈殿物をろ過し、活性エステル体（９）を得た（収率７９％）。【００９１】
（２）活性エステル体（９）とＡＰＳとの反応
活性エステル体（９）とＡＰＳとの反応を以下に示す。【００９２】
【化９】
2016068324.tif 000011
【００９３】
５ｍＬのナスフラスコに活性エステル体（９）を１４ｍｇ（２２．２μｍｏｌ）入れ、モレキュラーシーブ４Ａ入りＤＭＦ０．７ｍＬで溶解させた。ＤＭＦ０．７ｍＬ、ＡＰＳを５．２μＬ（２２．２μｍｏｌ）添加した溶液をナスフラスコに加えて室温で反応を開始した。1時間反応後、反応溶液をエバポレーターで減圧留去、真空ポンプで乾燥させＡＰＳ含有体（１０）を得た（収量：７．６ｍｇ、収率：４６％）。【００９４】
ＡＰＳ含有体（１０）について、１Ｈ−ＮＭＲ（ＪＥＯＬ製型式ＪＮＭ−ＬＡ４００）による分析結果を示す。
１Ｈ−ＮＭＲより、９．３６５〜９．３４８ｐｐｍ、８．１７７〜８．１６２ｐｐｍにピリジン環の水素が４Ｈ分認められた。８．７４０〜８．７１６ｐｐｍ、７．６７４〜７．３９１ｐｐｍに左右のベンゼン環の水素が１０Ｈ分、８．０１３ｐｐｍにアミド結合の水素１Ｈが認められた。５．０４５〜５．００８ｐｐｍ、２．４７０〜２．４３６ｐｐｍ、２．１６３〜２．１２８５ｐｐｍ、１．８０１〜１．７６７ｐｐｍピリジン環の横のアルキル鎖の水素が各２Ｈずつ、合計８Ｈ分認められた。３．８２２〜３．６９０ｐｐｍにトリエトキシシランの６Ｈ、１．２５２〜１．１５４ｐｐｍに９Ｈ分、３．２２２〜３．１７３ｐｐｍ、１．６６２〜１．５８４ｐｐｍ、０．６４７〜０．６０５ｐｐｍのアミド結合の横のアルキル鎖、各２Ｈずつ、合計６Ｈ分の水素が認められた。【００９５】
合成例３
アルコキシシリル基としてＡＰＳを含む４，７−ジ（メチルフェニル）−１，２，５−チアジアゾロピリジンのエステル体の合成について説明する。以下に反応スキームを示す。【００９６】
【化１０】
2016068324.tif 000012
【００９７】
（１）ジアミン体の合成
ナスフラスコにエチルエステル体（１１）を３３８ｍｇ（９０５μｍｏｌ）入れ、エタノール３０ｍＬで溶解させた。水素化ホウ素ナトリウムを２４９ｍｇ（６．６０ｍｍｏｌ）添加し、室温で反応を開始した。２時間反応後、反応溶液を水に入れ、クロロホルム溶媒で抽出した（３０ｍＬで２回）。クロロホルム層に硫酸マグネシウムを加え、吸引濾過後、減圧留去させた。生成物をカラムクロマト精製（関東化学製シリカゲル６０Ｎ，ＣＨＣｌ３＝１００）し、ジアミン体（１２）を得た（収量：７０ｍｇ、収率：２１％）。【００９８】
（２）エチルエステル体の合成
ナスフラスコにジアミン体（１２）を７０ｍｇ（１９３μｍｏｌ）入れ、クロロホルム２ｍＬで溶解させた。ＳＯＣｌ２を１ｍＬ（１．４ｍｍｏｌ）とクロロホルム１ｍＬの混合溶液を添加し、オイルバスで加熱還流させ、反応を開始した。２時間反応後、反応溶液を水に入れ、クロロホルム溶媒で抽出した（３０ｍＬで２回）。クロロホルム層に硫酸マグネシウムを加え、吸引濾過後、減圧留去させた。残渣をエタノールで洗浄して、エチルエステル体（１３）を得た（収量：３０ｍｇ、収率：４０％）。【００９９】
（３）カルボン酸体の合成
ナスフラスコにエチルエステル体（１３）を１８０ｍｇ（４６２μｍｏｌ）入れ、エタノール２０ｍＬ中、８０℃に設定したオイルバスで溶解させた。水酸化カリウム６４ｍｇ（１．１５ｍｍｏｌ）を水５ｍＬに溶解させた水溶液を添加し、反応を開始した。４時間反応後、反応溶液を水に入れ、室温で撹拌しながらｐＨ≦１になるまで、ゆっくりと塩酸を加えた。析出した固体を吸引濾過後、真空ポンプで乾燥させ、カルボン酸体（１４）を得た（収量：１０６ｍｇ、収率：６３％）。【０１００】
（４）活性エステル体の合成
ナスフラスコにカルボン酸体（１４）を１００ｍｇ（２７６μｍｏｌ）とN -ヒドロキシスクシンイミドを３４ｍｇ（３０３μｍｏｌ）入れ、ＴＨＦ：ＣＨＣｌ３＝４：１（１０ｍＬ）中、室温で溶解させた。ＷＳＣＩをＴＨＦ：ＣＨＣｌ３＝１：４（１０ｍＬ）で溶解させ、反応溶液にゆっくりと滴下し反応を開始した。滴下後、４時間反応させた。反応後、エバポレーターで減圧留去し、残渣をクロロホルムに溶解させ、食塩水で２回洗浄した。これに硫酸マグネシウムを加え、濾過、減圧留去後、真空ポンプで乾燥させた。これを、カラムクロマト精製（関東化学シリカゲル６０Ｎ，ＣＨＣｌ３：ＡＣＯＥＴ＝９：１）し活性エステル体（１５）を得た（収量：８９ｍｇ、収率：７０％）。【０１０１】
（５）ＡＰＳ含有体の合成
ナスフラスコに活性エステル体（１５）を８１ｍｇ（１７６μｍｏｌ）入れ、ジクロロメタン１０ｍＬで溶解させた。 ＡＰＳ  ０．０４４ｍＬ（１９３μｍｏｌ）を反応溶液に添加し、室温で反応を開始した。２．５時間反応後、反応溶液をエバポレーターで減圧留去した。生成物をカラムクロマト精製 （関東化学シリカゲル６０Ｎ，ＣＨＣｌ３：ＡＣＯＥＴ＝９．８：０．２）し、減圧留去後、真空ポンプで乾燥させＡＰＳ含有体（１６）を得た（収量：５９ｍｇ、収率：５９％）。【０１０２】
ＡＰＳ含有体（１６）について、１Ｈ−ＮＭＲによる分析結果を示す。
１Ｈ−ＮＭＲより、８．５２８〜８．５１３ｐｐｍにベンゼン環の２Ｈ、７．４１０〜７．３３９ｐｐｍに８Ｈの水素が認められた。８．２７４ｐｐｍにアミド結合の水素１Ｈが認められた。３．８３２〜３．８１７ｐｐｍにトリエトキシシランの６Ｈ、１．２２０〜１．２０３ｐｐｍに９Ｈの水素が認められた。３．４４４ｐｐｍ、１．７３８ｐｐｍ1、０．６９８ｐｐｍにトリエトキシシランのアルキル鎖６Ｈが認められた。２．５０２〜２．４４８ｐｐｍに上下のベンゼン環のメチル基６Ｈが認められた。【０１０３】
合成例４
アルコキシシリル基としてＡＰＳを含む４，７−ジフェニル−１，２，５−チアジアゾロピリジンの窒素カチオン体（ビニル基含有）の合成について説明する。まず、窒素カチオン体（ビニル基含有）の合成について説明する。【０１０４】
合成例１で合成したエステル体（４）をＮａＢＨ４存在下、還元反応を行い、ジアミノアルコール体（５）を得、これと塩化チオニルを反応させチアジアゾロピリジンクロロメチル体（６）を得、これにトリフェニルホスフィンを反応させてホスホニウム塩（７）を得、さらにウィティヒ反応によりビニル体（８）を得、そして活性エステルを含むピリジニウム塩（９）（−ＣＨ＝ＣＨ−を含む）を合成した。以下に反応例を示す。【０１０５】
【化１１】
2016068324.tif 000013
【０１０６】
（１）ジアミノアルコール体（１７）の合成
エステル体（４）（１．７３ｇ、５ｍｍｏｌ）とＮａＢＨ４（１．３０ｇ、３５ｍｍｏｌ）のエタノール溶液（１００ｍｌ）を１２時間加熱還流後、反応液を水に注入し、一夜放置後に沈澱をろ過してジアミノアルコール体（１７）を得た（収量１．１７ｇ、収率８０％）。【０１０７】
（２）クロロメチル体（１８）の合成
室温下、ジアミノアルコール体（１７）（１．１７ｇ）のクロロホルム溶液（６０ｍｌ）に塩化チオニル（６ｍｌ）、ピリジン−ＮａＢＨ４（３ｍｌ）をこの順で滴下、その後３時間３０分加熱還流後、反応液を水に注入し、飽和重曹水で中和し、クロロホルムで抽出した。抽出液を無水硫酸マグネシウムで乾燥、減圧留去して得た残渣をカラム（Ｋａｎｔｏ  Ｃ−６０、ヘキサン／クロロホルム＝３／１（ｖ／ｖ）処理してクロロメチル体（１８）を得た（収量１．１１ｇ、収率８２％）。【０１０８】
（３）ホスホニウム塩（１９）の合成
クロロメチル体（１８）  １１２．６ｍｇ（０．３３ｍｍｏｌ）とトリフェニルホスフィン（９６ｍｇ、０．３７ｍｍｏｌ）のトルエン溶液（５ｍｌ）を３日間加熱還流後、沈澱をろ過し、エーテルで洗浄してホスホニウム塩（１９）を得た（収量１０８ｍｇ、収率５５％）。【０１０９】
（４）ビニル体（２０）の合成
氷冷下、ｍ−フォルミルピリジン（１６μＬ，０．１８ｍｍｏｌ）と水酸化カリウム（純度８５％、１５ｍｇ）のエタノール溶液（１ｍｌ）にホスホニウム塩（１９）（１４０．５ｍｇ，０．２３ｍｍｏｌ）を加え、その温度で１時間３０分撹拌した。沈澱をろ過し、エタノール、水で洗浄後、乾燥して、４，７−ジフェニル−１，２，５−オキサジアゾロピリジン−６−（４−ビニルピリジン）（以下、ビニル体（２０）という。）を得た（収量４４ｍｇ、収率６２％）。【０１１０】
（５）活性エステルを含むピリジニウム塩（２１）の合成
ビニル体（２０）（４０ｍｇ、０．１０ｍｍｏｌ）とブロムヘキサン酸活性エステル（３２ｍｇ、０．１１ｍｍｏｌ）のトルエン溶液（２ｍｌ）を５日間加熱還流後、沈澱をろ過して活性エステルを含むピリジニウム塩（２１）を得た。【０１１１】
（６）ＡＰＳ含有体（２２）の合成
以下に反応例を示す。【０１１２】
【化１２】
2016068324.tif 000014
【０１１３】
ナスフラスコに活性エステルを含むピリジニウム塩（２１）を１４ｍｇ（２０．８μｍｏｌ）入れ、モレキュラーシーブ４Ａ入りＤＭＦ１．４ｍＬで溶解させた。ＡＰＳ  ４．８μＬ（２０．８μｍｏｌ）を反応溶液に添加し、室温で反応を開始した。２時間反応後、反応溶液をエバポレーターで減圧留去、真空ポンプで乾燥させＡＰＳ含有体（２２）を得た（収量：１０．３ｍｇ、収率：６４％）。【０１１４】
ＡＰＳ含有体（２２）についても、１Ｈ−ＮＭＲによりその構造を確認した。【０１１５】
合成例５
アルコキシシリル基として、３−メルカプトプロピルトリメトキシシラン（以下、ＭＰＳと略す）を含む４，７−ジフェニル−１，２，５−チアジアゾロピリジンのチオエーテル体の合成について説明する。その反応を以下に示す。【０１１６】
【化１３】
2016068324.tif 000015
【０１１７】
５０ｍＬの二つ口フラスコにクロロメチル体（１８）０．２ｇ（０．５９２ｍｍｏｌ、モル比  １．０）、炭酸カリウム０．０５ｇ（０．３５５ｍｍｏｌ、モル比  ０．６）、３−メルカプトプロピルトリエトキシシラン（以下、ＭＰＳと略す）０．１４ｍＬ（０．５９２ｍｍｏｌ、モル比  １．０）、を入れ減圧しながらアルゴン置換を行った。これに、ガラスシリンジを使用してアセトニトリル２０ｍＬを加え、７５℃に設定したオイルバスで２４時間、反応させた。ＴＬＣ（ＣＨＣｌ３：Ｈｅｘａｎ＝３：２）で反応が進行したのを確認後、室温まで冷却させ吸引濾過、減圧留去、真空乾燥を行った。これを、シリカゲルカラムクロマト精製（Ｋａｎｔｏ  ６０Ｎ，ＣＨＣｌ３：Ｈｅｘａｎ＝３：２）を行った。１Ｈ−ＮＭＲによりその構造を確認した結果、不純であったため再度、シリカゲルカラムクロマト精製（Ｋａｎｔｏ  ６０Ｎ，ＣＨＣｌ３：Ｈｅｘａｎ＝３：２）を行い目的物であるＭＰＳ含有体（２３）を得た（収量：０．１７９５ｇ、収率５６％）。【０１１８】
１Ｈ−ＮＭＲにより、８．６９６〜８．６８０ｐｐｍにオキサジアゾロピリジン骨格の窒素の影響によってフェニル基の２Ｈ、７．６１６〜７．５７０ｐｐｍにフェニル基の残りの８Ｈの水素が確認された。４．０００ｐｐｍにチアジアゾロピリジン骨格とチオエーテル基の間の２Ｈ、３．８０６〜３．７６３ｐｐｍにトリエトキシシランのエトキシ基の６Ｈ、１．２０５〜１．１８１ｐｐｍに９Ｈ、２．７３５〜２．７１０ｐｐｍ、１．７３６〜１．６８４ｐｐｍ、０．７２３〜０．７１０ｐｐｍにアルキル鎖の各２Ｈ分の水素が確認された。【０１１９】
合成例６
活性エステル体（５）とＭＰＳとの反応を以下に示す。【０１２０】
【化１４】
2016068324.tif 000016
【０１２１】
５０ｍＬのナス型フラスコに炭酸カリウム０．１ｇ（０．７２５ｍｍｏｌ、モル比  １．５）、３−メルカプトプロピルトリエトキシシラン０．１２ｍＬ（０．４８３ｍｍｏｌ、モル比  １．１）を入れ、１，４−ジオキサン１０ｍＬ中でアルゴン雰囲気下、室温で撹拌した。これに、１，４−ジオキサン１５ｍＬに溶解させた活性エステル体（５）０．２ｇ（０．４８３ｍｍｏｌ、モル比  １．１）を３０分かけてゆっくりと滴下した。滴下後、８０℃に設定したオイルバスで２４時間、反応させた（アルゴン雰囲気下）。ＴＬＣ（ＣＨＣｌ３＝１００）で反応が進行したのを確認後、室温まで冷却させ吸引濾過、減圧留去、真空乾燥を行った。これを、シリカゲルカラムクロマト精製（Ｋａｎｔｏ  ６０Ｎ，ＣＨＣｌ３＝１００）を行った。１Ｈ−ＮＭＲで確認を行い、目的物であるＭＰＳ含有体（２４）を得た（収量０．１６ｇ、収率６２％）。【０１２２】
１Ｈ−ＮＭＲにより、８．８１７〜８．８０１ｐｐｍにオキサジアゾロピリジン骨格の窒素の影響によってフェニル基の２Ｈ、７．６５６〜７．５１１ｐｐｍにフェニル基の残りの８Ｈ分の水素が確認された。３．８３５〜３．８００ｐｐｍにトリエトキシシランのエトキシ基の６Ｈ、１．２３４〜１．２１０ｐｐｍに９Ｈ、３．０２１〜２．９９６ｐｐｍ、１．８００〜１．７４８ｐｐｍ、０．７７６〜０．７４８ｐｐｍにアルキル鎖の各２Ｈ分の水素が確認された。【０１２３】
合成例７
アルコキシシリル基としてＡＰＳを含む４，７−ジ[（１−ナフチル）チエニル]−１，２，５−オキサジアゾロピリジン−６−（４−ピリジニウム）について説明する。まず、４，７−ジ[（１−ナフチル）チエニル]−１，２，５−オキサジアゾロピリジン−６−（４−ピリジニウム）の活性エステル体の合成について説明する。【０１２４】
【化１５】
2016068324.tif 000017
【０１２５】
（１）鈴木カップリングを用いたピリジル体（２６）の合成
アルゴン置換したナスフラスコ中でピリジル体（２５）  ２００ｍｇ（０．３８ｍｍｏｌ）と、テトラキストリフェニルホスフィンパラジウム  １２．７ｍｇを入れ、２Ｍ−炭酸ナトリウム溶液２．８ｍｌとベンゼン４ｍｌで溶解した。１−ナフチルボロン酸１４４ｍｇ（０．８３ｍｍｏｌ）をエタノール２ｍｌで溶解し、反応液に投入した。その後、８０℃で６時間加熱還流した。反応液に水を２０ｍｌ入れ、クロロホルムを用いて抽出した。クロロホルムを減圧下留去し、残渣をヘキサン−クロロホルムで再結晶した。ピリジル体（２６）を収量１９０ｍｇ、収率５５％で得た。【０１２６】
（２）活性エステル体（２７）の合成
ピリジル体（２６）  ３００ｍｇ（０．５８ｍｍｏｌ）、ブロモヘキサン酸活性エステル１７０ｍｇ（０．５８ｍｍｏｌ）をトルエン８ｍｌで溶解後、室温で一晩攪拌した。反応終了後吸引濾過を行い、濾物を真空乾燥して活性エステル体（２７）を得た。【０１２７】
活性エステル体（２７）とＡＰＳとの反応を以下に示す。【０１２８】
【化１６】
2016068324.tif 000018
【０１２９】
５０ｍＬのナス型フラスコに化合物（２７）を０．２ｇ（０．２２４ｍｍｏｌ、モル比  １．０）、３−アミノプロピルトリエトキシシラン０．０５３ｍＬ（０．２２４ｍｍｏｌ、モル比  １．０）を入れ、ＤＭＦ１５ｍＬ中でアルゴン雰囲気下、室温で５時間反応させた。反応終了後、反応溶液をエバポレーターで減圧留去、真空乾燥を行った。これを、シリカゲルカラムクロマト精製（Ｋａｎｔｏ  ６０Ｎ，ＣＨＣｌ３：メタノール＝８：２）を行った。１Ｈ−ＮＭＲで確認を行い、目的物であるＡＰＳ含有体（２８）を得た（収量０．１１ｇ、収率４９％）。【０１３０】
合成例８
アルコキシシリル基としてＡＰＳを含む４，７−ジ[（２−ナフチル）チエニル]−１，２，５−オキサジアゾロピリジン−６−（４−ピリジニウム）について説明する。まず、４，７−ジ[（２−ナフチル）チエニル]−１，２，５−オキサジアゾロピリジン−６−（４−ピリジニウム）の活性エステル体の合成例を示す。【０１３１】
【化１７】
2016068324.tif 000019
【０１３２】
（１）鈴木カップリングを用いたピリジル体（２９）の合成
アルゴン置換したナスフラスコにピリジル体（２５）  ２００ｍｇ（０．３８ｍｍｏｌ）、テトラキストリフェニルホスフィンパラジウム１２．７ｍｇを入れ、２Ｍ−炭酸ナトリウム溶液２．８ｍｌとベンゼン４ｍｌで溶解した。２−ナフチルボロン酸 １４４ｍｇ（０．８３ｍｍｏｌ）をエタノール２ｍｌで溶解し、反応液に投入した。その後、８０℃で５時間加熱還流した。反応液に水を１５ｍｌ入れ、クロロホルムを用いて抽出した。クロロホルムを減圧下留去し、残渣をヘキサン−クロロホルムで再結晶した。ピリジル体（２９）を収量２２０ｍｇ、収率６４％で得た。【０１３３】
（２）活性エステル体（３０）の合成
ピリジル体（２９）３００ｍｇ（０．５８ｍｍｏｌ）、ブロモヘキサン酸活性エステル１７０ｍｇ（０．５８ｍｍｏｌ）をトルエン８ｍｌで溶解後、室温で一晩攪拌した。反応終了後吸引濾過を行い、濾物を真空乾燥して活性エステル体（３０）を得た。【０１３４】
活性エステル体（３０）とＡＰＳとの反応を以下に示す。【０１３５】
【化１８】
2016068324.tif 000020
【０１３６】
５０ｍＬのナス型フラスコに活性エステル体（３０）を０．２ｇ（０．２２４ｍｍｏｌ、モル比  １．０）、３−アミノプロピルトリエトキシシラン０．０５３ｍＬ（０．２２４ｍｍｏｌ、モル比  １．０）を入れ、ＤＭＦ１５ｍＬ中でアルゴン雰囲気下、室温で５時間反応させた。反応終了後、反応溶液をエバポレーターで減圧留去、真空乾燥を行った。これを、シリカゲルカラムクロマト精製（Ｋａｎｔｏ  ６０Ｎ，ＣＨＣｌ３：メタノール＝８：２）を行った。１Ｈ−ＮＭＲで確認を行い、目的物であるＭＰＳ含有体（  ）を得た（収量０．１３ｇ、収率５８％）。【０１３７】
合成例９
アルコキシシリル基としてＡＰＳを含む４，７−ジ[（２−ビフェニル）チエニル]−１，２，５−オキサジアゾロピリジン−６−（４−ピリジニウム）について説明する。まず、４，７−ジ[（２−ビフェニル）チエニル]−１，２，５−オキサジアゾロピリジン−６−（４−ピリジニウム）の活性エステル体の合成例を示す。【０１３８】
【化１９】
2016068324.tif 000021
【０１３９】
（１）鈴木カップリングを用いたピリジル体（３２）の合成
アルゴン置換したナスフラスコにピリジル体（２５）  ２００ｍｇ（０．３８ｍｍｏｌ）と、テトラキストリフェニルホスフィンパラジウム１２．７ｍｇを入れ、２Ｍ−炭酸ナトリウム溶液２．８ｍｌとベンゼン４ｍｌで溶解した。ビフェニルボロン酸１６４ｍｇ（０．８３ｍｍｏｌ）をエタノール２ｍｌで溶解し、反応液に投入した。その後、８０℃で５時間加熱還流した。反応液に水を２０ｍｌ入れ、クロロホルムを用いて抽出した。クロロホルムを減圧下留去し、残渣をヘキサン−クロロホルムで再結晶した。ピリジル体（３２）を収量１５５ｍｇ、収率６１％で得た。【０１４０】
（２）活性エステル体（３３）の合成
ピリジル体（３２）（３００ｍｇ，０．４５ｍｍｏｌ）、ブロモヘキサン酸活性エステル１４５ｍｇ（０．４９ｍｍｏｌ）をトルエン８ｍｌで溶解後、室温で一晩攪拌した。反応終了後吸引濾過を行い、濾物を真空乾燥して活性エステル体（３３）を得た。【０１４１】
活性エステル体（３３）とＡＰＳとの反応を以下に示す。【０１４２】
【化２０】
2016068324.tif 000022
【０１４３】
５０ｍＬのナス型フラスコに活性エステル体（３３）を０．２ｇ（０．２１３ｍｍｏｌ、モル比  １．０）、３−アミノプロピルトリエトキシシラン０．０５ｍＬ（０．２１３ｍｍｏｌ、モル比  １．０）を入れ、ＤＭＦ１５ｍＬ中でアルゴン雰囲気下、室温で７時間反応させた。反応終了後、反応溶液をエバポレーターで減圧留去、真空乾燥を行った。これを、シリカゲルカラムクロマト精製（Ｋａｎｔｏ  ６０Ｎ，ＣＨＣｌ３：メタノール＝８：２）を行った。１Ｈ−ＮＭＲで確認を行い、目的物であるＡＰＳ含有体（３４）を得た（収量０．０９２ｇ、収率４１％）。【０１４４】
合成例１０
アルコキシシリル基としてＭＰＳを含むチオエーテル体（３６）について説明する。【０１４５】
【化２１】
2016068324.tif 000023
【０１４６】
５０ｍＬの二つ口フラスコに、クロル体３５を０．２ｇ（０．５２９ｍｍｏｌ、モル比  １．０）、炭酸カリウム０．０７３ｇ（０．５２９ｍｍｏｌ、モル比  １．０）、３−メルカプトプロピルトリエトキシシラン０．１３ｍＬ（０．５２９ｍｍｏｌ、モル比  １．０）、を入れ減圧しながらアルゴン置換を行った。これに、ガラスシリンジを使用してアセトニトリル２０ｍＬを加え、７５℃に設定したオイルバスで２４時間、反応させた。ＴＬＣ（ＣＨＣｌ３：ヘキサン＝３：２）で反応が進行したのを確認後、室温まで冷却させ吸引濾過、減圧留去、真空乾燥を行った。これを、シリカゲルカラムクロマト精製（Ｋａｎｔｏ  ６０Ｎ，ＣＨＣｌ３：ヘキサン＝３：２）を行った。１Ｈ−ＮＭＲで確認した結果、不純であったため再度、シリカゲルカラムクロマト精製（Ｋａｎｔｏ  ６０Ｎ，ＣＨＣｌ３＝１００）を行い目的物であるチオエーテル体（３６）（crude）を得た（収量０．０７５ｇ、収率２５％）。【０１４７】
合成例１１
アルコキシシリル基としてＭＰＳを含むチオエステル体（３８）について説明する。【０１４８】
【化２２】
2016068324.tif 000024
【０１４９】
５０ｍＬのナス型フラスコに炭酸カリウム０．０９ｇ（０．６６ｍｍｏｌ、モル比  １．５）、３−メルカプトプロピルトリエトキシシラン０．１２ｍＬ（０．４８４ｍｍｏｌ、モル比  １．１）を入れ、１，４−ジオキサン１０ｍＬ中でアルゴン雰囲気下、室温で撹拌した。これに、１，４−ジオキサン１５ｍＬに溶解させた活性エステル体３７の０．２ｇ（０．４４ｍｍｏｌ、モル比  １．０）を３０分かけてゆっくりと滴下した。滴下後、８０℃に設定したオイルバスで２４時間、反応させた（アルゴン雰囲気下）。ＴＬＣ（ＣＨＣｌ３＝１００）で反応が進行したのを確認後、室温まで冷却させ吸引濾過、減圧留去、真空乾燥を行った。これを、シリカゲルカラムクロマト精製（Ｋａｎｔｏ  ６０Ｎ，ＣＨＣｌ３＝１００）を行った。１Ｈ−ＮＭＲで確認を行い、目的物であるチオエステル体（３８）を得た（収量０．１ｇ、収率３９％）。【０１５０】
合成例１２
アルコキシシリル基として３−ヨードプロピルトリメトキシシランを含むピリジニウム塩（４０）について説明する。【０１５１】
【化２３】
2016068324.tif 000025
【０１５２】
３０ｍＬのナス型フラスコにピリジル体３９を０．２ｇ（０．５１２ｍｍｏｌ、モル比  １．０）、３−ヨードプロピルトリエトキシシラン０．８５ｇ（２．５６ｍｍｏｌ、モル比  ５．０）、トルエン１０ｍＬを入れ、室温で撹拌しながら減圧、アルゴン置換を行った。その後、１１０℃設定したオイルバスで２日間反応させた。ＴＬＣ（ＣＨＣｌ３＝１００）で反応が進行したのを確認後、室温まで冷却させてエバポレーターで減圧留去した。残渣をヘキサンで洗浄し、吸引濾過、真空乾燥させた。これを、シリカゲルカラムクロマト精製（Ｋａｎｔｏ  ６０Ｎ，ＣＨＣｌ３：メタノール＝８：２）を行った。１Ｈ−ＮＭＲで確認を行い、目的物であるピリジニウム塩（４０）を得た（収量０．１１ｇ、収率３０％）。【０１５３】
合成例１３
アルコキシシリル基として３−ヨードプロピルトリメトキシシランを含むピリジニウム塩（４２）について説明する。【０１５４】
【化２４】
2016068324.tif 000026
【０１５５】
３０ｍＬのナス型フラスコにピリジル体４１を０．２ｇ（０．４９２ｍｍｏｌ、モル比  １．０）、３−ヨードプロピルトリエトキシシラン０．８２ｇ（２．４６ｍｍｏｌ、モル比  ５．０）、トルエン１０ｍＬを入れ、室温で撹拌しながら減圧、アルゴン置換を行った。その後、１１０℃に設定したオイルバスで２日間反応させた。ＴＬＣ（ＣＨＣｌ３＝１００）で反応が進行したのを確認後、室温まで冷却させてエバポレーターで減圧留去した。残渣をヘキサンで洗浄し、吸引濾過、真空乾燥させた。これを、シリカゲルカラムクロマト精製（Ｋａｎｔｏ  ６０Ｎ，ＣＨＣｌ３：メタノール＝８：２）を行った。１Ｈ−ＮＭＲで確認を行い、目的物であるピリジニウム塩（４２）を得た（収量０．１２ｇ、収率３３％）。【０１５６】
（退光性の評価）
実験１
合成例１〜１３で製造したアルコキシル基含有有機ＥＬ色素をクロロホルムに溶解させ、スライドガラス上に垂らし、乾燥させ膜状のサンプルを作製した。作製したサンプルに紫外線ランプ（アズワンＳＬＵＶ−４：照射波長  ３６５ｎｍ）を用いて紫外線を照射し、所定時間経過後、以下の蛍光顕微鏡による観察を行った。なお、紫外線照射前後の蛍光強度の変化は、撮影した写真を目視観察することで評価した。
顕微鏡：ＯｌＹＭＰＵＳ  ＢＸ５０
励起フィルター：ＥＴ４０５／４０Ｘ
ダイクロイックミラー：Ｔ４７０ｐｘｒ
吸収フィルター：ＥＴ５４５／７０ｍ【０１５７】
（結果）
表１に、吸収波長、蛍光波長、そして紫外線照射６時間後の蛍光強度の変化の結果を示す。紫外線照射後でも、ＵＶ照射前と同様の蛍光強度が得られた。なお、図１に、合成例２で製造したＡＰＳ含有体（１０）について、ＵＶ試験前とＵＶ照射３００時間後のサンプルの蛍光顕微鏡写真を示す。ＵＶ照射３００時間後でも、ＵＶ照射前と同様の蛍光強度が得られた。【０１５８】
【表１】
2016068324.tif 000027
【０１５９】
合成例１〜１３で製造したアルコキシル基含有有機ＥＬ色素は、すべて１００ｎｍ以上のストークスシフトを有しており、特に、Ｒ２およびＲ３に置換チエニル基を有する合成例７〜１３は、１７０ｎｍ以上のストークスシフトが得られた。これにより、励起光の影響を受けることなく高感度の検出が可能となる。また、合成例７〜１３は、６４０ｎｍ以上の近赤外光域に蛍光波長を有していることから、生体組織の形態学的変化や機能的変化を検出する有効なツールとなり、高感度の生体イメージング用蛍光試薬としても期待できる。
【図１】
2016068324.tif 000031
【国際調査報告】
2016068324.tif 000032
2016068324.tif 000033
2016068324.tif 000034
2016068324.tif 000035
2016068324.tif 000036